(57)【要約】【課題】トルクの低下を抑制しつつ永久磁石に付与される応力の軽減を図ることができる回転電機を提供すること。【解決手段】電動圧縮機１０は、ロータ３０と、ロータ３０に対して径方向Ｒ外側に設けられたステータコア４１、電機子巻線４２ｕ，４２ｖ，４２ｗ及び永久磁石６２，７２を有するステータ４０と、ステータコア４１が固定された状態でロータ３０及びステータ４０を収容するハウジング１１と、を備えている。ここで、ステータコア４１には、ティース先端面５３から凹んだ内側磁石用スロット６１と、内側磁石用スロット６１に対して径方向Ｒ外側に配置され且つコア外周面５１ａから凹んだ外側磁石用スロット７１とが形成されており、ステータコア４１は両磁石用スロット６１，７１を仕切るブリッジ８０を備えている。そして、磁石用スロット６１，７１には、永久磁石６２，７２が収容されている。【選択図】図３
2018074890.tif 000002
【特許請求の範囲】
【請求項１】
ロータと、
前記ロータに対して前記ロータの径方向外側に設けられたステータコア、電機子巻線及び永久磁石を有するステータと、
前記ステータコアが固定された状態で前記ロータ及び前記ステータを収容するハウジングと、
を備え、
前記ステータコアは、
前記ハウジングの内周面から押圧されているコア外周面を有するコア筒部と、
前記電機子巻線が捲回されるものであって、前記コア筒部の内周面から前記ロータの径方向内側に向けて突出し且つ前記ロータの周方向に配列されている複数のティースと、
前記各ティースの先端面であるティース先端面から凹んだ内側磁石用スロットと、
前記内側磁石用スロットに対して前記ロータの径方向外側に配置され、前記コア外周面から凹んだ外側磁石用スロットと、
前記内側磁石用スロットと前記外側磁石用スロットとを仕切るブリッジと、
を備え、
前記永久磁石は、前記内側磁石用スロットに収容された内側永久磁石、及び、前記外側磁石用スロットに収容された外側永久磁石を含むことを特徴とする回転電機。
【請求項２】
前記ティースは、前記電機子巻線が捲回される一対のティース側面を有し、
前記ステータコアは、
前記一対のティース側面の間に設けられ、前記内側磁石用スロットを区画し且つ互いに対向した一対の内側スロット側壁面と、
前記外側磁石用スロットを区画し且つ互いに対向した一対の外側スロット側壁面と、
を有し、
前記ブリッジは、
前記内側磁石用スロットの底面を構成する内側ブリッジ面と、
前記内側ブリッジ面とは反対側に設けられ、前記外側磁石用スロットの底面を構成する外側ブリッジ面と、
を有し、
前記内側ブリッジ面及び前記外側ブリッジ面の対向距離であるブリッジ厚さは、前記コア筒部の厚さよりも小さい請求項１に記載の回転電機。
【請求項３】
前記一対の外側スロット側壁面と前記外側ブリッジ面との間には、前記ロータの軸線方向に延び且つ前記外側スロット側壁面から凹んだ溝が形成されている請求項２に記載の回転電機。
【請求項４】
前記溝は、前記外側ブリッジ面と連続した内側溝面を有し、
前記内側溝面は、前記ロータの軸線方向から見て前記外側ブリッジ面から離れるに従って前記ロータの径方向外側に向けて湾曲した内側湾曲面を含む請求項３に記載の回転電機。
【請求項５】
前記外側永久磁石は、前記一対の外側スロット側壁面と当接又は対向する一対の外側磁石側面を有し、
前記溝は、前記内側溝面と連続する第１端及び前記外側スロット側壁面と連続する第２端を有する外側溝面を備え、
前記外側溝面は、前記第１端側から前記第２端側に向かうに従って徐々に前記溝の幅が小さくなるように湾曲した外側湾曲面を含む請求項４に記載の回転電機。
【請求項６】
前記ティースは、当該ティースにおける前記ロータの周方向の長さが前記ロータの径方向内側に向かうに従って徐々に短くなるように形成された先細り形状であり、
前記ティース先端面は、前記内側磁石用スロットの両側に設けられ、互いに対向する前記ティース側面と前記内側スロット側壁面との双方に連続し且つ前記ロータの周方向に延びた一対の先端湾曲面で構成されており、
前記ティース側面と前記溝との最短距離は、互いに対向する前記ティース側面と前記内側スロット側壁面とを結ぶ直線のうち前記ティース側面に直交し且つ前記先端湾曲面に接する接線の長さである先端接線長さ、及び、前記先端湾曲面の周方向長さのうちいずれか短い方よりも長く設定されている請求項３〜５のうちいずれか一項に記載の回転電機。
【請求項７】
前記外側永久磁石は、前記外側ブリッジ面と対向する外側磁石底面を有し、
前記溝は、前記外側ブリッジ面と前記外側磁石底面との対向方向を幅方向とする開口を有し、
前記回転電機は、前記外側ブリッジ面と前記外側磁石底面とが少なくとも一部において離間するように、前記外側永久磁石を支持する支持部を備えている請求項３〜６のうちいずれか一項に記載の回転電機。
【請求項８】
前記支持部は、前記外側永久磁石を、前記外側磁石底面が前記外側ブリッジ面に対して前記溝の開口幅以上に離間した位置にて支持する請求項７に記載の回転電機。
【請求項９】
前記支持部は、前記一対の外側スロット側壁面のうち少なくとも一方に設けられた突起であり、
前記外側永久磁石は、前記外側磁石底面が前記突起に当接することによって支持されている請求項７又は請求項８に記載の回転電機。
【請求項１０】
前記支持部は、前記外側ブリッジ面に設けられ、当該外側ブリッジ面から前記外側磁石底面に向けて突出した突出部であり、
前記外側磁石底面は、前記突出部に当接することによって支持されている請求項７又は請求項８に記載の回転電機。
【請求項１１】
前記支持部は、前記外側ブリッジ面と前記外側磁石底面との間に介在している非磁性部材である請求項７又は請求項８に記載の回転電機。
【請求項１２】
前記内側永久磁石の磁化方向は、前記一対の内側スロット側壁面の対向方向と一致しており、
前記外側永久磁石の磁化方向は、前記一対の外側スロット側壁面の対向方向と一致しており、
前記内側永久磁石の磁化方向の長さは、前記外側永久磁石の磁化方向の長さよりも長く設定されている請求項２〜１１のうちいずれか一項に記載の回転電機。
【請求項１３】
前記ブリッジよりも前記ロータの径方向外側に設けられ、前記一対の外側スロット側壁面から押圧されている受圧部材を備え、
前記受圧部材は、前記ステータコアよりも強度が高い非磁性体で構成されている請求項２〜１２のうちいずれか一項に記載の回転電機。
【請求項１４】
前記受圧部材は、前記外側磁石用スロットの最外周に配置されており、
前記外側永久磁石は、前記ブリッジと前記受圧部材との間に配置されている請求項１３に記載の回転電機。
【請求項１５】
前記一対の外側スロット側壁面は、
互いに対向している一対の第１側壁面と、
前記一対の第１側壁面よりも互いに離れる方向に離間して配置されている一対の第２側壁面と、
を有し、
前記受圧部材は、前記一対の第１側壁面と前記一対の第２側壁面との間に形成された一対の段差面に当接又は対向している状態で、前記一対の第２側壁面の間に嵌っている請求項１３又は請求項１４に記載の回転電機。
【請求項１６】
前記内側永久磁石は、前記ロータと対向する内側対向面を有し、
前記内側対向面は、前記ロータの軸線方向から見て直線状であって、前記ティース先端面よりも前記ロータの径方向外側に配置されている請求項１〜１５のうちいずれか一項に記載の回転電機。
【請求項１７】
前記外側永久磁石は、前記ハウジングの内周面と対向する外側対向面を有し、
前記外側対向面は、前記ロータの軸線方向から見て直線状であって、前記外側磁石用スロットの開口端と同一平面上又はそれよりも前記ロータの径方向内側に配置されている請求項１〜１６のうちいずれか一項に記載の回転電機。
【請求項１８】
前記ブリッジは、前記ティースに設けられている請求項１〜１７のうちいずれか一項に記載の回転電機。
【請求項１９】
前記外側磁石用スロットにおける前記コア外周面からの深さは、前記内側磁石用スロットにおける前記ティース先端面からの深さよりも大きい請求項１〜１８のうちいずれか一項に記載の回転電機。
【請求項２０】
前記ブリッジは、前記ロータの軸線方向から見て、前記ロータの径方向と交差する方向に延びた直線状である請求項１〜１９のうちいずれか一項に記載の回転電機。
【請求項２１】
前記内側永久磁石は、前記外側永久磁石よりも保磁力が強い材料で構成されている請求項１〜２０のうちいずれか一項に記載の回転電機。
【発明の詳細な説明】
【技術分野】
【０００１】
本発明は、回転電機に関する。
【背景技術】
【０００２】
回転電機としての電動圧縮機は、例えば、ロータ及びステータと、ロータ及びステータを収容するハウジングとを備えている（例えば特許文献１参照）。特許文献１には、ステータが、ロータの径方向外側に設けられたステータコアと、ステータコアに捲回された電機子巻線とを有している点、及び、ステータコアがハウジングに対して焼き嵌めによって固定されている点が記載されている。また、特許文献２には、ロータの高速化等の観点から、ステータコアに永久磁石が設けられている回転電機について記載されている。
【先行技術文献】
【特許文献】
【０００３】
【特許文献１】特開２０１５−１１６０号公報
【特許文献２】特開２００２−１９９６７９号公報
【発明の概要】
【発明が解決しようとする課題】
【０００４】
ここで、上記のようにステータコアがハウジングに対して固定されている構成において、ステータコアに永久磁石が設けられていると、永久磁石に応力が付与され得る。永久磁石に過度な応力が付与されると、回転電機の運転に支障が生じ得る。かといって、永久磁石に過度な応力が付与されることを抑制するために、例えば永久磁石の設置スペースが小さくなったり、トルクに寄与しない磁束が発生したりすると、トルクの低下が懸念される。
【０００５】
本発明は、上述した事情を鑑みてなされたものであり、その目的はトルクの低下を抑制しつつ永久磁石に付与される応力の軽減を図ることができる回転電機を提供することである。
【課題を解決するための手段】
【０００６】
上記目的を達成する回転電機は、ロータと、前記ロータに対して前記ロータの径方向外側に設けられたステータコア、電機子巻線及び永久磁石を有するステータと、前記ステータコアが固定された状態で前記ロータ及び前記ステータを収容するハウジングと、を備え、前記ステータコアは、前記ハウジングの内周面から押圧されているコア外周面を有するコア筒部と、前記電機子巻線が捲回されるものであって、前記コア筒部の内周面から前記ロータの径方向内側に向けて突出し且つ前記ロータの周方向に配列されている複数のティースと、前記各ティースの先端面であるティース先端面から凹んだ内側磁石用スロットと、前記内側磁石用スロットに対して前記ロータの径方向外側に配置され、前記コア外周面から凹んだ外側磁石用スロットと、前記内側磁石用スロットと前記外側磁石用スロットとを仕切るブリッジと、を備え、前記永久磁石は、前記内側磁石用スロットに収容された内側永久磁石、及び、前記外側磁石用スロットに収容された外側永久磁石を含むことを特徴とする。
【０００７】
かかる構成によれば、ティースに捲回された電機子巻線に電流が流れることによって当該電機子巻線から発生する磁束と、両永久磁石の磁束とが相互作用し、ロータを回転させることができる。
【０００８】
ここで、コア外周面がハウジングの内周面から押圧されている構成においては、ステータコアの両磁石用スロットに収容されている両永久磁石には、応力が付与され得る。これに対して、本構成によれば、ブリッジが、両永久磁石に付与される応力を受けることができる。これにより、両永久磁石に付与される応力を軽減できる。
【０００９】
特に、外側磁石用スロットがコア外周面から凹んで形成されている関係上、外側磁石用スロットと内側磁石用スロットとを仕切るブリッジは、コア外周面よりもロータの径方向内側に配置されることとなる。これにより、ステータコアに付与される応力がブリッジとコア筒部とに分散されて付与されるため、ブリッジに付与される応力を軽減できる。したがって、ブリッジに必要な強度を小さくすることができるため、ブリッジを薄くできる。よって、ブリッジを貫く短絡磁束を低減でき、それを通じてブリッジに起因する回転電機のトルクの低下を抑制できる。また、ブリッジを薄くすることにより、例えば両磁石用スロットのスペースを大きくでき、それを通じて両永久磁石を大きくすることができる。
【００１０】
更に、本構成によれば、ブリッジによってステータコアが複数のパーツに分割されることなく一体化されている。これにより、ステータコアが複数のパーツに分割されることによって生じる不都合、詳細には各パーツ間の位置ずれやハウジングへの取付作業の煩雑化を抑制できる。
【００１１】
上記回転電機について、前記ティースは、前記電機子巻線が捲回される一対のティース側面を有し、前記ステータコアは、前記一対のティース側面の間に設けられ、前記内側磁石用スロットを区画し且つ互いに対向した一対の内側スロット側壁面と、前記外側磁石用スロットを区画し且つ互いに対向した一対の外側スロット側壁面と、を有し、前記ブリッジは、前記内側磁石用スロットの底面を構成する内側ブリッジ面と、前記内側ブリッジ面とは反対側に設けられ、前記外側磁石用スロットの底面を構成する外側ブリッジ面と、を有し、前記内側ブリッジ面及び前記外側ブリッジ面の対向距離であるブリッジ厚さは、前記コア筒部の厚さよりも小さいとよい。
【００１２】
かかる構成によれば、ブリッジ厚さがコア筒部の厚さと同一又はそれ以上である構成と比較して、両磁石用スロットを大きくできるため、両永久磁石を大きくできるとともに短絡磁束を小さくできる。よって、回転電機のトルクの向上を図ることができる。
【００１３】
上記回転電機について、前記一対の外側スロット側壁面と前記外側ブリッジ面との間には、前記ロータの軸線方向に延び且つ前記外側スロット側壁面から凹んだ溝が形成されているとよい。
【００１４】
かかる構成によれば、溝によって、一対の外側スロット側壁面と外側ブリッジ面とのコーナ付近での局所的な応力集中を抑制できる。特に、本構成によれば、溝は、外側ブリッジ面ではなく、外側スロット側壁面に対して凹んでいる。これにより、溝に起因してブリッジ厚さが局所的に小さくなる箇所が生じる事態を抑制できる。よって、ブリッジの強度低下を抑制しつつ、局所的な応力集中を抑制できる。
【００１５】
上記回転電機について、前記溝は、前記外側ブリッジ面と連続した内側溝面を有し、前記内側溝面は、前記ロータの軸線方向から見て前記外側ブリッジ面から離れるに従って前記ロータの径方向外側に向けて湾曲した内側湾曲面を含むとよい。
【００１６】
かかる構成によれば、一対の外側スロット側壁面と外側ブリッジ面とのコーナ付近に対して、両外側スロット側壁面が互いに近づく方向の成分を含む応力が付与された場合には、内側湾曲面が上記応力を受け易い。この場合、内側湾曲面は湾曲しているため、応力の分散化を図ることができる。これにより、上記応力を好適に受けることができる。
【００１７】
上記回転電機について、前記外側永久磁石は、前記一対の外側スロット側壁面と当接又は対向する一対の外側磁石側面を有し、前記溝は、前記内側溝面と連続する第１端及び前記外側スロット側壁面と連続する第２端を有する外側溝面を備え、前記外側溝面は、前記第１端側から前記第２端側に向かうに従って徐々に前記溝の幅が小さくなるように湾曲した外側湾曲面を含むとよい。
【００１８】
かかる構成によれば、内側湾曲面の面積をある程度確保しつつ、外側スロット側壁面と外側磁石側面とが当接又は対向する面積の減少を抑制できる。これにより、応力の分散化を図りつつ、溝が形成されることによって生じる上記面積の減少に起因したトルクの低下を抑制できる。
【００１９】
上記回転電機について、前記ティースは、当該ティースにおける前記ロータの周方向の長さが前記ロータの径方向内側に向かうに従って徐々に短くなるように形成された先細り形状であり、前記ティース先端面は、前記内側磁石用スロットの両側に設けられ、互いに対向する前記ティース側面と前記内側スロット側壁面との双方に連続し且つ前記ロータの周方向に延びた一対の先端湾曲面で構成されており、前記ティース側面と前記溝との最短距離は、互いに対向する前記ティース側面と前記内側スロット側壁面とを結ぶ直線のうち前記ティース側面に直交し且つ前記先端湾曲面に接する接線の長さである先端接線長さ、及び、前記先端湾曲面の周方向長さのうちいずれか短い方よりも長く設定されている。
【００２０】
かかる構成によれば、ティース内において、磁束が貫く面積が最小となる箇所は、ティースの先端部分となる。これにより、溝によってティース内を貫く磁束が律速されることを回避できる。よって、溝に起因してティースを貫く磁束が低下する事態を抑制でき、それを通じて溝に起因したトルクの低下を抑制できる。
【００２１】
上記回転電機について、前記外側永久磁石は、前記外側ブリッジ面と対向する外側磁石底面を有し、前記溝は、前記外側ブリッジ面と前記外側磁石底面との対向方向を幅方向とする開口を有し、前記回転電機は、前記外側ブリッジ面と前記外側磁石底面とが少なくとも一部において離間するように、前記外側永久磁石を支持する支持部を備えているとよい。
【００２２】
かかる構成によれば、外側ブリッジ面と外側磁石底面とが少なくとも一部において離間しているため、両者の間には外側永久磁石が存在しない領域が形成される。これにより、その領域分だけ外側永久磁石を小さくできる。これにより、使用する外側永久磁石の量を削減でき、コスト削減を図ることができる。
【００２３】
ここで、上記外側永久磁石が存在しない領域は、一対の外側スロット側壁面と外側ブリッジ面との間に形成されている溝の開口と対向する部分を含む。当該部分は、外側永久磁石の有無に関わらず、回転電機のトルクに寄与しない。したがって、上記外側永久磁石が存在しない領域が形成された場合であっても、トルクは低下しにくい。
【００２４】
また、外側永久磁石は、支持部によって支持されているため、回転電機に振動等が付与された場合であっても、外側磁石底面が外側ブリッジ面に近づく方向への外側永久磁石の移動が規制されている。これにより、外側永久磁石の位置ずれに起因するトルクの低下を抑制できる。
【００２５】
上記回転電機について、前記支持部は、前記外側永久磁石を、前記外側磁石底面が前記外側ブリッジ面に対して前記溝の開口幅以上に離間した位置にて支持するとよい。
かかる構成によれば、外側磁石用スロットにおいて溝の開口と対向する領域は、全て外側永久磁石が存在しない領域に含まれる。これにより、外側永久磁石においてトルクに寄与しない部分を削除することにより、トルクの低下を抑制しつつ、外側永久磁石の更なる小型化を図ることができる。
【００２６】
上記回転電機について、前記支持部は、前記一対の外側スロット側壁面のうち少なくとも一方に設けられた突起であり、前記外側永久磁石は、前記外側磁石底面が前記突起に当接することによって支持されているとよい。
【００２７】
かかる構成によれば、仮に振動等によって外側永久磁石がブリッジに向けて押圧された場合には、突起がその押圧力を受ける。これにより、外側永久磁石から付与される押圧力がブリッジに加わることを抑制でき、それを通じてブリッジに過度な応力が付与されることを抑制できる。
【００２８】
上記回転電機について、前記支持部は、前記外側ブリッジ面に設けられ、当該外側ブリッジ面から前記外側磁石底面に向けて突出した突出部であり、前記外側磁石底面は、前記突出部に当接することによって支持されているとよい。
【００２９】
かかる構成によれば、一対の外側スロット側壁面に突起を設けることに起因して外側永久磁石が小さくなることを回避できる。これにより、支持部を設けることに起因するトルクの低下を回避できる。
【００３０】
上記回転電機について、前記支持部は、前記外側ブリッジ面と前記外側磁石底面との間に介在している非磁性部材であるとよい。
かかる構成によれば、外側スロット側壁面や外側ブリッジ面に支持部を設ける必要がないため、支持部に起因するステータコアの構成の複雑化を抑制できる。また、支持部として非磁性部材が採用されているため、非磁性部材を介した短絡磁路が生じにくい。これにより、支持部に起因するトルクの低下を抑制できる。
【００３１】
上記回転電機について、前記内側永久磁石の磁化方向は、前記一対の内側スロット側壁面の対向方向と一致しており、前記外側永久磁石の磁化方向は、前記一対の外側スロット側壁面の対向方向と一致しており、前記内側永久磁石の磁化方向の長さは、前記外側永久磁石の磁化方向の長さよりも長く設定されているとよい。
【００３２】
ロータに近い内側永久磁石の方が、外側永久磁石よりも、減磁量が大きくなり易いため、内側永久磁石において消磁現象が生じ易い。この点、本構成によれば、内側永久磁石の磁化方向の長さが、外側永久磁石の磁化方向の長さよりも長いため、内側永久磁石の保磁力が、外側永久磁石の保磁力よりも高くなっている。これにより、内側永久磁石にて生じ易い消磁現象を抑制できる。よって、トルクの向上を図ることができる。
【００３３】
上記回転電機について、前記ブリッジよりも前記ロータの径方向外側に設けられ、前記一対の外側スロット側壁面から押圧されている受圧部材を備え、前記受圧部材は、前記ステータコアよりも強度が高い非磁性体で構成されているとよい。
【００３４】
かかる構成によれば、ブリッジと受圧部材とが分散して応力を受ける。これにより、ブリッジに付与される応力の軽減を図ることができる。特に、受圧部材は、ブリッジよりもロータの径方向外側に配置されているため、応力は、ブリッジよりも受圧部材の方に対して優先的に付与される。この場合、受圧部材は、ステータコアよりも強度が高い材料で構成されているため、破断しにくい。これにより、ブリッジに付与される応力の軽減を図りつつ、両永久磁石に付与される応力の軽減を図ることができる。
【００３５】
また、受圧部材は非磁性体で構成されているため、受圧部材を介した短絡磁路が形成されることを抑制できる。これにより、受圧部材を介した短絡磁路に起因するトルクの低下を抑制できる。
【００３６】
上記回転電機について、前記受圧部材は、前記外側磁石用スロットの最外周に配置されており、前記外側永久磁石は、前記ブリッジと前記受圧部材との間に配置されているとよい。
【００３７】
かかる構成によれば、受圧部材によって外側磁石用スロットが２つの収容室に区分けされることを回避できる。これにより、外側永久磁石を２つに分割して各収容室に収容するといった構成の複雑化を抑制できる。
【００３８】
また、外側磁石用スロットの最外周は、内周側と比較して、回転電機のトルクに寄与しにくい部分である。このため、外側磁石用スロットの最外周に、外側永久磁石ではなく受圧部材が配置されたとしても、トルクの低下量は小さくて済む。したがって、受圧部材を設けたことに起因する不都合であるトルクの低下を抑制できる。
【００３９】
上記回転電機について、前記一対の外側スロット側壁面は、互いに対向している一対の第１側壁面と、前記一対の第１側壁面よりも互いに離れる方向に離間して配置されている一対の第２側壁面と、を有し、前記受圧部材は、前記一対の第１側壁面と前記一対の第２側壁面との間に形成された一対の段差面に当接又は対向している状態で、前記一対の第２側壁面の間に嵌っているとよい。
【００４０】
かかる構成によれば、受圧部材の移動が段差面によって規制される。これにより、受圧部材の位置ずれを抑制できる。また、振動等によって受圧部材が押圧された場合には、段差面が受圧部材からの押圧力を受けるため、外側永久磁石に上記押圧力が付与されることを抑制できる。
【００４１】
上記回転電機について、前記内側永久磁石は、前記ロータと対向する内側対向面を有し、前記内側対向面は、前記ロータの軸線方向から見て直線状であって、前記ティース先端面よりも前記ロータの径方向外側に配置されているとよい。
【００４２】
かかる構成によれば、内側対向面が湾曲している構成と比較して、内側永久磁石を容易に製造できる。また、内側永久磁石がロータに衝突することを抑制できる。
上記回転電機について、前記外側永久磁石は、前記ハウジングの内周面と対向する外側対向面を有し、前記外側対向面は、前記ロータの軸線方向から見て直線状であって、前記外側磁石用スロットの開口端と同一平面上又はそれよりも前記ロータの径方向内側に配置されているとよい。
【００４３】
かかる構成によれば、外側永久磁石がハウジングの内周面に対して優先的に接触することを抑制できるため、外側永久磁石に対して直接的に応力が付与されることを抑制できる。これにより、外側永久磁石に過度な応力が付与されることを抑制できる。また、外側対向面が湾曲している構成と比較して、外側永久磁石を容易に製造できる。
【００４４】
上記回転電機について、前記ブリッジは、前記ティースに設けられているとよい。
かかる構成によれば、ブリッジがコア筒部に設けられている構成と比較して、ハウジングから押圧されることによってステータコアに付与される応力は、より優先的にコア筒部に付与される。これにより、ブリッジに付与される応力を軽減できる。したがって、例えば、ブリッジをより薄くでき、両磁石用スロットのスペースを大きくできるため、両永久磁石の大型化を図ることができる。
【００４５】
上記回転電機について、前記外側磁石用スロットにおける前記コア外周面からの深さは、前記内側磁石用スロットにおける前記ティース先端面からの深さよりも大きいとよい。
かかる構成によれば、外側磁石用スロットの深さが内側磁石用スロットの深さ以下である構成と比較して、ブリッジが径方向内側に配置されることになる。これにより、ブリッジに付与される応力をより軽減できる。
【００４６】
上記回転電機について、前記ブリッジは、前記ロータの軸線方向から見て、前記ロータの径方向と交差する方向に延びた直線状であるとよい。
かかる構成によれば、ブリッジが曲線状である構成と比較して、ブリッジの加工が容易であるため、ブリッジを比較的容易に形成することができる。また、ブリッジと両永久磁石との間にデッドスペースが生じにくいため、当該デッドスペースに起因したトルク低下を抑制できる。
【００４７】
上記回転電機について、前記内側永久磁石は、前記外側永久磁石よりも保磁力が強い材料で構成されているとよい。
ロータに近い内側永久磁石の方が、外側永久磁石よりも、減磁量が大きくなり易いため、内側永久磁石において消磁現象が生じ易い。この点、本構成によれば、内側永久磁石が、外側永久磁石よりも保磁力が強い材料で構成されているため、内側永久磁石の保磁力が、外側永久磁石の保磁力よりも高くなっている。これにより、内側永久磁石にて生じ易い消磁現象を抑制できる。よって、トルクの向上を図ることができる。
【発明の効果】
【００４８】
この発明によれば、トルクの低下を抑制しつつ永久磁石に付与される応力の軽減を図ることができる。
【図面の簡単な説明】
【００４９】
【図１】回転電機としての電動圧縮機の概要を模式的に示す断面図。
【図２】図１の２−２線断面図。
【図３】図２の一部拡大図。
【図４】内側永久磁石及び溝の周辺を拡大して示す断面図。
【図５】外側永久磁石及びハウジングの周辺を拡大して示す断面図。
【図６】溝及びその周辺を拡大して示す断面図。
【図７】ティースの先端側を拡大して示す断面図。
【図８】第２実施形態のティースの断面構造を示す一部拡大図。
【図９】第３実施形態の外側磁石用スロットの断面構造を示す一部拡大図。
【図１０】第４実施形態の外側磁石用スロットの断面構造を示す一部拡大図。
【図１１】別例の溝を示す断面図。
【図１２】別例の溝を示す断面図。
【図１３】別例の溝を示す断面図。
【図１４】別例の内側対向面を示す断面図。
【図１５】別例の外側対向面を示す断面図。
【図１６】別例の支持部を示す断面図。
【図１７】別例の支持部を示す断面図。
【発明を実施するための形態】
【００５０】
（第１実施形態）
以下、回転電機の第１実施形態について説明する。本実施形態では、回転電機は、流体を圧縮する電動圧縮機である。また、本実施形態では、電動圧縮機は、例えば車両に搭載され、車載用空調装置に用いられる。すなわち、本実施形態における電動圧縮機の圧縮対象の流体は冷媒である。なお、図２〜図７等においては、図示の都合上、ロータ３０の径方向Ｒのうち紙面上下方向と一致しているものを一例として示す。
【００５１】
図１に示すように、電動圧縮機１０は、車載用空調装置を構成する外部冷媒回路から冷媒が吸入される吸入口１１ａが形成されたハウジング１１と、ハウジング１１に収容された圧縮部１２、回転軸１３及び電動モータ１４とを備えている。
【００５２】
ハウジング１１は、吸入口１１ａが形成されたものであって一方に開口した有底筒形状の吸入ハウジング２１と、冷媒が吐出される吐出口１１ｂが形成された吐出ハウジング２２とを有している。吐出ハウジング２２は、吸入ハウジング２１の開口部分を塞いだ状態で吸入ハウジング２１と連結されている。吸入ハウジング２１は、底壁部２１ａと底壁部２１ａの外周縁から立設する側壁部２１ｂとを有する。吸入口１１ａは、吸入ハウジング２１の側壁部２１ｂにおける底壁部２１ａ寄りの部分に形成されている。吐出口１１ｂは、外部冷媒回路に接続されている。
【００５３】
ハウジング１１は、全体として筒状（詳細には円筒状）であり、内周面１１ｃを有している。本実施形態では、ハウジング１１の内周面１１ｃは、ハウジング１１の軸線方向から見て円形である。
【００５４】
圧縮部１２は、ハウジング１１内において、吸入口１１ａよりも吐出口１１ｂ側に配置されている。圧縮部１２は、回転軸１３が回転することによって、吸入口１１ａからハウジング１１内に吸入された冷媒を圧縮し、その圧縮された冷媒を吐出口１１ｂから吐出させるものである。なお、圧縮部１２の具体的な構成は、スクロールタイプ、ピストンタイプ、ベーンタイプ等任意である。
【００５５】
図１に示すように、回転軸１３は、その一端部が圧縮部１２に連結された状態で、ハウジング１１に対して回転可能に支持されている。回転軸１３の軸線方向は、筒状のハウジング１１の軸線方向と一致している。
【００５６】
電動モータ１４は、ハウジング１１内において、圧縮部１２よりも吸入口１１ａ側に配置されている。電動モータ１４は、回転軸１３を回転させるものである。本実施形態の電動モータ１４は、例えばリラクタンスモータである。
【００５７】
図１に示すように、電動圧縮機１０は、電動モータ１４を駆動させる駆動回路としてのインバータ２３を備えている。インバータ２３は、ハウジング１１、詳細には吸入ハウジング２１の底壁部２１ａに取り付けられた円筒形状のカバー部材２４内に収容されている。電動モータ１４（詳細には複数相の電機子巻線４２ｕ，４２ｖ，４２ｗ）と、インバータ２３とは電気的に接続されている。
【００５８】
ちなみに、本実施形態では、圧縮部１２、電動モータ１４及びインバータ２３が一列に配列されている。但し、これに限られず、インバータ２３は、吸入ハウジング２１の側壁部２１ｂに取り付けられている構成でもよい。
【００５９】
次に、本実施形態の電動モータ１４の構造について詳細に説明する。
図１及び図２に示すように、電動モータ１４は、ロータ３０と、ロータ３０に対して当該ロータ３０の径方向Ｒ外側に設けられ且つハウジング１１に固定されたステータ４０とを備えている。
【００６０】
ロータ３０は、回転軸１３が挿通された状態で回転軸１３に固定されており、回転軸１３と一体回転する。ロータ３０は、複数の電磁鋼板が積層されることによって構成されている。
【００６１】
ロータ３０は、突極性を有する構造となっている。詳細には、図２に示すように、ロータ３０は、円筒状のロータベース部３１と、当該ロータベース部３１の外周面から突出した複数の突極部３２とを有している。複数の突極部３２は、ロータ３０の周方向Ｃに所定の間隔で配列されている。
【００６２】
図２及び図３に示すように、各突極部３２の先端面３２ａはそれぞれ、ロータ３０の径方向Ｒ外側に向けて凸となっている。各突極部３２の先端面３２ａは、ロータ３０の軸線方向Ｚから見て同一周面上に配置されている。詳細には、ロータ３０の中心線から予め定められた径の円周面を仮想ロータ外周面Ｓｘ１（図３参照）とすると、各突極部３２の先端面３２ａは、仮想ロータ外周面Ｓｘ１上に配置されている。なお、ロータ３０の周方向Ｃとは、ロータベース部３１の周方向又は突極部３２の配列方向とも言えるし、ロータ３０又は回転軸１３の回転方向とも言える。
【００６３】
ステータ４０は、ロータ３０に対して当該ロータ３０の径方向Ｒ外側に設けられたステータコア４１と、ステータコア４１に捲回された複数相の電機子巻線４２ｕ，４２ｖ，４２ｗと、永久磁石６２，７２とを有している。
【００６４】
ステータコア４１は、ハウジング１１（詳細には吸入ハウジング２１の側壁部２１ｂ）の内周面１１ｃと当接しているコア外周面５１ａを有するコア筒部５１と、コア筒部５１の内周面であるコア内周面５１ｂから内方（詳細にはロータ３０の径方向Ｒ内側）に向けて突出し且つロータ３０の周方向に配列された複数のティース５２とを有している。
【００６５】
コア筒部５１は、ハウジング１１の側壁部２１ｂよりも一回り小さく形成された筒状（詳細には円筒状）である。コア外周面５１ａは、ロータ３０の軸線方向Ｚから見て円形であり、その径はハウジング１１の内周面１１ｃの径と同一に設定されている。
【００６６】
本実施形態では、回転軸１３、ロータ３０及びコア筒部５１は、同一軸線上に配置されている。ロータ３０の軸線方向Ｚ、径方向Ｒ及び周方向Ｃは、回転軸１３の軸線方向、径方向及び周方向とも言えるし、ステータ４０（コア筒部５１）の軸線方向、径方向及び周方向とも言える。
【００６７】
ここで、ステータコア４１はハウジング１１に嵌め込まれている。詳細には、コア筒部５１は、コア外周面５１ａとハウジング１１の内周面１１ｃとが当接した状態で、吸入ハウジング２１の側壁部２１ｂに嵌め込まれている。このため、コア外周面５１ａは、ハウジング１１の内周面１１ｃから押圧されている。すなわち、ステータコア４１は、コア外周面５１ａとハウジング１１の内周面１１ｃとの当接箇所を介して、ハウジング１１（詳細には吸入ハウジング２１の側壁部２１ｂ）から押圧されている。したがって、ステータコア４１には応力が付与されている。
【００６８】
なお、ステータコア４１をハウジング１１に嵌め込むための具体的な手法としては、例えば予め加熱することにより熱膨張させておいた吸入ハウジング２１に対して、ステータコア４１を挿入し、その後吸入ハウジング２１を冷却させる所謂焼き嵌めといった手法が考えられる。これにより、吸入ハウジング２１の冷却に伴う熱収縮によって、ステータコア４１が吸入ハウジング２１に固定される。但し、ステータコア４１をハウジング１１に嵌め込むための具体的な手法は、焼き嵌めに限られず任意である。
【００６９】
各ティース５２はそれぞれ、軸線方向Ｚに延びており、その延設方向と直交する方向の断面は略扇状となっている。各ティース５２は、径方向Ｒ内側に向かうに従って徐々に周方向Ｃの長さが短くなるように形成された先細り形状となっている。
【００７０】
各ティース５２はそれぞれ、ロータ３０と対向するものであって周方向Ｃに延びたティース先端面５３と、複数相の電機子巻線４２ｕ，４２ｖ，４２ｗのいずれかが捲回される一対のティース側面５４，５５と、を有している。
【００７１】
ティース先端面５３は、軸線方向Ｚから見て弧状であり、その径は仮想ロータ外周面Ｓｘ１よりも大きく設定されている。
図２に示すように、一対のティース側面５４，５５は、ティース５２における周方向Ｃの両端面であり、径方向Ｒに延びている。隣り合う２つのティース５２における互いに対向する２つのティース側面（詳細には第１ティース側面５４及び第２ティース側面５５）と、コア内周面５１ｂとによって複数相の電機子巻線４２ｕ，４２ｖ，４２ｗが収容される巻線用スロット５６が形成されている。巻線用スロット５６は、周方向Ｃに複数配列されている。
【００７２】
複数相の電機子巻線４２ｕ，４２ｖ，４２ｗは、各ティース５２に対して集中巻きで捲回されている。詳細には、１つのティース５２に対して１相の電機子巻線が捲回されており、１つの巻線用スロット５６に対して２相の電機子巻線が収容されている。複数相の電機子巻線４２ｕ，４２ｖ，４２ｗは、Ｙ結線又はデルタ結線されており、インバータ２３に電気的に接続されている。
【００７３】
図３に示すように、ステータコア４１は、内側永久磁石６２が収容される内側磁石用スロット６１と、外側永久磁石７２が収容される外側磁石用スロット７１と、両磁石用スロット６１，７１を仕切るブリッジ（仕切壁）８０とを有している。両磁石用スロット６１，７１は、ブリッジ８０を介して対向している。
【００７４】
図３及び図４に示すように、内側磁石用スロット６１は、ティース先端面５３から凹んでいる。詳細には、内側磁石用スロット６１は、ティース先端面５３から径方向Ｒ外側に向けて凹み、軸線方向Ｚに延びた溝形状である。内側磁石用スロット６１は、径方向Ｒ内側に向けて開放されている。内側磁石用スロット６１は、各ティース５２に形成されている。このため、巻線用スロット５６と内側磁石用スロット６１とは、周方向Ｃに交互に配列されている。
【００７５】
外側磁石用スロット７１は、内側磁石用スロット６１に対して径方向Ｒ外側に配置されている。外側磁石用スロット７１は、コア外周面５１ａから凹んでいる。詳細には、外側磁石用スロット７１は、コア外周面５１ａから径方向Ｒ内側に向けて凹み、軸線方向Ｚに延びた溝形状である。外側磁石用スロット７１は、径方向Ｒ外側に向けて開放されている。
【００７６】
図３に示すように、本実施形態では、両磁石用スロット６１，７１は、軸線方向Ｚから見て、ティース５２の中心線Ｍを通る位置に形成されている。そして、両磁石用スロット６１，７１は、ティース５２の中心線Ｍに沿って凹んでいる。両磁石用スロット６１，７１の深さ方向は、ティース５２の中心線Ｍに沿う方向と一致している。このため、ティース５２は、上記中心線Ｍを基準として左右対称となっている。
【００７７】
次に、図３〜図７を用いて、ブリッジ８０、両磁石用スロット６１，７１及び両永久磁石６２，７２について詳細に説明する。
図３に示すように、ブリッジ８０は、径方向Ｒと交差（詳細には直交する）する方向に延びた直線状である。ブリッジ８０は、内側磁石用スロット６１の底面を構成する内側ブリッジ面８０ａと、外側磁石用スロット７１の底面を構成する外側ブリッジ面８０ｂとを有している。外側ブリッジ面８０ｂは、内側ブリッジ面８０ａに対して反対側に配置されており、両者は互いに対向している。
【００７８】
本実施形態では、ブリッジ８０は、コア筒部５１ではなくティース５２に設けられている。詳細には、ブリッジ８０は、ティース５２におけるコア内周面５１ｂよりもティース先端面５３寄りに配置されている。
【００７９】
ここで、両ブリッジ面８０ａ，８０ｂの対向距離をブリッジ厚さＤ１とする。ブリッジ厚さＤ１は、ブリッジ８０における両磁石用スロット６１，７１の対向方向及び軸線方向Ｚの双方に直交する方向の長さである。ブリッジ厚さＤ１は、コア筒部５１の厚さ（径方向Ｒの長さ）Ｄ２よりも小さく設定されている。
【００８０】
図３及び図４に示すように、内側磁石用スロット６１は、内側ブリッジ面８０ａと、ステータコア４１（詳細にはティース５２）に形成された一対の内側スロット側壁面６１ａ，６１ｂとによって区画されている。一対の内側スロット側壁面６１ａ，６１ｂは、一対のティース側面５４，５５の間に配置されている。一対の内側スロット側壁面６１ａ，６１ｂは互いに対向しており、本実施形態では、両者の対向方向は、両磁石用スロット６１，７１の対向方向（換言すればティース５２の中心線Ｍに沿う方向）及び軸線方向Ｚの双方に対して直交している。一対の内側スロット側壁面６１ａ，６１ｂは、軸線方向Ｚから見て、内側ブリッジ面８０ａの両端に連続しているとともに、ティース先端面５３に連続している。
【００８１】
ちなみに、ティース先端面５３は、ティース側面５４，５５と内側スロット側壁面６１ａ，６１ｂとの双方に連続し且つ周方向Ｃに延びた一対の先端湾曲面５３ａ，５３ｂで構成されている。一対の先端湾曲面５３ａ，５３ｂは、内側磁石用スロット６１の周方向Ｃの両側に設けられている。第１先端湾曲面５３ａは、互いに対向している第１ティース側面５４と第１内側スロット側壁面６１ａとに連続しており、第２先端湾曲面５３ｂは、互いに対向している第２ティース側面５５と第２内側スロット側壁面６１ｂとに連続している。本実施形態では、一対の先端湾曲面５３ａ，５３ｂは、ティース５２の中心線Ｍを基準として左右対称となっている。
【００８２】
内側永久磁石６２は、上記内側磁石用スロット６１に収容された状態で、ステータコア４１に固定されている。なお、内側永久磁石６２をステータコア４１に固定する具体的な手法としては、任意であるが、例えば接着材等を用いることが考えられる。
【００８３】
内側永久磁石６２は、内側磁石用スロット６１の形状に対応させて形成されており、内側磁石用スロット６１のスペースのほぼ全体を占めている。内側永久磁石６２は、全体として直方体形状の角型であり、内側ブリッジ面８０ａと当接又は対向している内側磁石底面６３と、内側磁石底面６３とは反対側に配置され且つロータ３０と対向する内側対向面６４と、一対の内側スロット側壁面６１ａ，６１ｂと当接又は対向している一対の内側磁石側面６５，６６とを有している。なお、当接しているとは、接着材等を介して当接している構成を含む。
【００８４】
一対の内側磁石側面６５，６６のうちいずれか一方がＮ極であり、他方がＳ極である。すなわち、内側永久磁石６２は、当該内側永久磁石６２の磁化方向が径方向Ｒと交差（詳細には直交）するように配置されている。内側永久磁石６２の磁化方向は、一対の内側スロット側壁面６１ａ，６１ｂの対向方向と一致している。
【００８５】
図４に示すように、内側対向面６４は、軸線方向Ｚから見て直線状に形成されている。詳細には、内側対向面６４は、ティース５２の中心線Ｍに対して直交する平面である。
内側対向面６４は、ティース先端面５３よりも径方向Ｒ外側に配置されている。詳細には、内側対向面６４は、一対の内側スロット側壁面６１ａ，６１ｂにおける先端湾曲面５３ａ，５３ｂと連続する内周端よりも若干内側ブリッジ面８０ａ寄りに配置されている。すなわち、内側対向面６４は、当該内側対向面６４とティース先端面５３（詳細には先端湾曲面５３ａ，５３ｂ）との間に段差面６７が形成される位置に配置されている。
【００８６】
ここで、周方向Ｃに延びたティース先端面５３と同一周面を仮想ステータ内周面Ｓｘ２とする。仮想ステータ内周面Ｓｘ２は、ティース先端面５３の曲率と同一曲率の円周面である。この場合、内側対向面６４は、仮想ステータ内周面Ｓｘ２に接する位置に配置されている。
【００８７】
図３〜図５に示すように、外側磁石用スロット７１は、外側ブリッジ面８０ｂと、ステータコア４１に形成された一対の外側スロット側壁面７１ａ，７１ｂとによって区画されている。一対の外側スロット側壁面７１ａ，７１ｂは互いに対向しており、本実施形態では両者の対向方向は、一対の内側スロット側壁面６１ａ，６１ｂの対向方向と一致している。一対の外側スロット側壁面７１ａ，７１ｂは、軸線方向Ｚから見て、外側ブリッジ面８０ｂの両端付近から起立して延びており、コア外周面５１ａと連続している。
【００８８】
外側永久磁石７２は、上記外側磁石用スロット７１に収容された状態で、ステータコア４１に固定されている。なお、外側永久磁石７２をステータコア４１に固定する具体的な手法としては、任意であるが、例えば接着材等を用いることが考えられる。
【００８９】
本実施形態では、内側永久磁石６２と外側永久磁石７２とは同一材料で構成されている。なお、両永久磁石６２，７２を構成する材料は、任意であるが、例えばネオジウム合金などである。
【００９０】
外側永久磁石７２は、外側磁石用スロット７１の形状に対応させて形成されており、外側磁石用スロット７１のスペースのほぼ全体を占めている。外側永久磁石７２は、全体として直方体形状の角型であり、外側ブリッジ面８０ｂと当接している外側磁石底面７３と、外側磁石底面７３とは反対側に配置され且つハウジング１１の内周面１１ｃと対向する外側対向面７４と、一対の外側スロット側壁面７１ａ，７１ｂと当接又は対向している一対の外側磁石側面７５，７６とを有している。なお、当接しているとは、接着材等を介して当接している構成を含む。
【００９１】
ちなみに、外側永久磁石７２は、当該外側永久磁石７２の磁化方向が径方向Ｒと交差（詳細には直交）するように配置されている。外側永久磁石７２の磁化方向は、一対の外側スロット側壁面７１ａ，７１ｂの対向方向と一致している。
【００９２】
また、外側永久磁石７２の磁化方向と内側永久磁石６２の磁化方向とは一致している。詳細には、例えば第１内側磁石側面６５がＮ極であり、第２内側磁石側面６６がＳ極である場合には、第１外側磁石側面７５はＮ極であり、第２外側磁石側面７６がＳ極となっている。
【００９３】
図５に示すように、外側対向面７４は、軸線方向Ｚから見て直線状に形成されている。詳細には、外側対向面７４は、ティース５２の中心線Ｍに対して直交する平面である。
外側対向面７４は、外側磁石用スロット７１の開口端７１ｃと同一平面上又はそれよりも径方向Ｒ内側に配置されていると好ましく、本実施形態では外側磁石用スロット７１の開口端７１ｃと同一平面上に配置されている。外側磁石用スロット７１の開口端７１ｃとは、一対の外側スロット側壁面７１ａ，７１ｂとコア外周面５１ａとのコーナ端である。このため、外側対向面７４とハウジング１１の内周面１１ｃとの間には隙間Ａ１が形成されている。換言すれば、外側対向面７４は、外側対向面７４とハウジング１１の内周面１１ｃとの間に隙間Ａ１が形成されるように構成されている。
【００９４】
本実施形態の一対の外側スロット側壁面７１ａ，７１ｂは、コア筒部５１及びティース５２に跨って形成されている。すなわち、本実施形態では、外側磁石用スロット７１は、コア筒部５１を貫通してティース５２に到達している。
【００９５】
図３に示すように、内側磁石用スロット６１のティース先端面５３からの深さＤｐ１と、外側磁石用スロット７１のコア外周面５１ａからの深さＤｐ２とは異なっている。詳細には、外側磁石用スロット７１の深さＤｐ２は、内側磁石用スロット６１の深さＤｐ１よりも大きく設定されている。
【００９６】
これに対応させて、外側永久磁石７２の高さＨ２は、内側永久磁石６２の高さＨ１よりも大きい。外側永久磁石７２の高さＨ２とは、外側永久磁石７２における外側磁石用スロット７１の深さ方向の長さである。本実施形態では、外側永久磁石７２の高さＨ２は、外側磁石用スロット７１の深さＤｐ２と同一である。
【００９７】
同様に、内側永久磁石６２の高さＨ１は、内側永久磁石６２における内側磁石用スロット６１の深さ方向の長さである。本実施形態では、内側永久磁石６２の高さＨ１は、内側磁石用スロット６１の深さＤｐ１よりも若干（詳細には段差面６７相当分）だけ小さい。
【００９８】
図４に示すように、本実施形態では、一対の内側スロット側壁面６１ａ，６１ｂは平行である。このため、一対の内側スロット側壁面６１ａ，６１ｂの対向距離を内側磁石用スロット幅Ｌａ１とすると、当該内側磁石用スロット幅Ｌａ１は、場所によらず一定となっている。内側磁石用スロット幅Ｌａ１は、軸線方向Ｚ及び内側磁石用スロット６１の深さ方向の双方に直交する方向における内側磁石用スロット６１の長さである。
【００９９】
同様に、一対の外側スロット側壁面７１ａ，７１ｂは平行である。このため、一対の外側スロット側壁面７１ａ，７１ｂの対向距離を外側磁石用スロット幅Ｌａ２とすると、当該外側磁石用スロット幅Ｌａ２は、場所によらず一定となっている。外側磁石用スロット幅Ｌａ２は、軸線方向Ｚ及び外側磁石用スロット７１の深さ方向の双方に直交する方向における外側磁石用スロット７１の長さである。
【０１００】
かかる構成において、内側磁石用スロット幅Ｌａ１は、外側磁石用スロット幅Ｌａ２よりも大きく設定されている。これに対応させて、内側永久磁石幅Ｌｂ１は、外側永久磁石幅Ｌｂ２よりも大きく設定されている。
【０１０１】
内側永久磁石幅Ｌｂ１とは、内側永久磁石６２の磁化方向の長さであり、詳細には内側永久磁石６２における一対の内側スロット側壁面６１ａ，６１ｂの対向方向の長さである。換言すれば、内側永久磁石幅Ｌｂ１は、一対の内側磁石側面６５，６６の対向距離である。
【０１０２】
同様に、外側永久磁石幅Ｌｂ２とは、外側永久磁石７２の磁化方向の長さであり、詳細には外側永久磁石７２における一対の外側スロット側壁面７１ａ，７１ｂの対向方向の長さである。換言すれば、外側永久磁石幅Ｌｂ２は、一対の外側磁石側面７５，７６の対向距離である。
【０１０３】
なお、本実施形態では、内側磁石用スロット幅Ｌａ１と内側永久磁石幅Ｌｂ１とは同一であり、外側磁石用スロット幅Ｌａ２と外側永久磁石幅Ｌｂ２とは同一である。但し、これに限られず、両者は多少異なっていてもよい。
【０１０４】
また、本実施形態の一対の内側スロット側壁面６１ａ，６１ｂ及び一対の外側スロット側壁面７１ａ，７１ｂは、軸線方向Ｚと平行であってティース５２の中心線Ｍに沿った面であるが、これに限られず、ティース５２の中心線Ｍに対して交差してもよい。
【０１０５】
図２に示すように、内側磁石用スロット６１が、巻線用スロット５６を介して、周方向Ｃに配列されていることに対応させて、内側永久磁石６２は、周方向Ｃに複数配列されている。そして、各内側永久磁石６２は、周方向Ｃに隣り合うもの同士が同一磁極で向き合った状態で各内側磁石用スロット６１に収容されている。すなわち、各内側永久磁石６２は、磁極が周方向ＣにＮ，Ｓ，Ｓ，Ｎ，Ｎ，Ｓ，…，Ｓと配列されるように配置されている。
【０１０６】
同様に、外側永久磁石７２は、周方向Ｃに複数配列されている。各外側永久磁石７２の磁極（磁化方向）は、当該各外側永久磁石７２の径方向Ｒ内側に配置されている内側永久磁石６２の磁極と同一である。
【０１０７】
ここで、図３の矢印Ａに示すように、ステータコア４１には、ハウジング１１から径方向Ｒ内側に向かう応力が付与されている。このため、ブリッジ８０における一対のティース側面５４，５５側にある両端部には、斜め方向の応力が付与される。詳細には、外側ブリッジ面８０ｂと一対の外側スロット側壁面７１ａ，７１ｂとのコーナ部分には、一対の外側スロット側壁面７１ａ，７１ｂに直交する方向の成分、詳細には一対の外側スロット側壁面７１ａ，７１ｂが互いに近づく方向の成分を含む応力が付与される。これにより、上記コーナ部分には、局所的な応力集中が生じ得る。
【０１０８】
これに対して、本実施形態のステータコア４１は、上記応力集中を抑制するための構成を備えている。当該構成について以下に説明する。
図３及び図４に示すように、一対の外側スロット側壁面７１ａ，７１ｂと外側ブリッジ面８０ｂとの間（詳細にはコーナ部分）には、軸線方向Ｚに延びた溝９０が形成されている。溝９０は、第１外側スロット側壁面７１ａと外側ブリッジ面８０ｂとの間、及び、第２外側スロット側壁面７１ｂと外側ブリッジ面８０ｂとの間の双方に形成されており、一対となっている。
【０１０９】
図６に示すように、一対の溝９０は、一対の外側スロット側壁面７１ａ，７１ｂに対して凹んでおり、詳細には径方向Ｒとは直交する方向に向けて凹んでいる。両溝９０は、外側永久磁石７２に向けて開口している。換言すれば、溝９０は、外側磁石用スロット７１に向けて開口した開口９０ａを有している。一対の溝９０の両開口９０ａは、互いに対向しており、外側永久磁石７２の一部は、対向配置された両開口９０ａの間に存在している。すなわち、外側永久磁石７２の一部は、溝９０の開口９０ａと対向している。
【０１１０】
なお、説明の便宜上、以降の説明において、溝９０が凹んでいる方向、詳細には一対の外側スロット側壁面７１ａ，７１ｂに対して直交する方向を溝９０の深さ方向とし、軸線方向Ｚ及び溝９０の深さ方向の双方と直交する方向を溝９０の幅方向とする。溝９０の幅方向とは、外側ブリッジ面８０ｂと外側磁石底面７３との対向方向である。
【０１１１】
両溝９０は、ティース５２の中心線Ｍを基準として左右対称である点を除き、同一である。このため、説明の便宜上、以降の説明においては、第１外側スロット側壁面７１ａと外側ブリッジ面８０ｂとの間に形成されている溝９０について詳細に説明する。
【０１１２】
図６に示すように、本実施形態の溝９０は、当該溝９０に起因して第１外側磁石側面７５と第１外側スロット側壁面７１ａとが当接又は対向する面積が低下することを抑制しつつ、応力集中を抑制できるように構成されている。詳細には、溝９０は、外側ブリッジ面８０ｂと連続する内側溝面９１と、内側溝面９１よりも径方向Ｒ外側に配置された外側溝面９２とを有している。
【０１１３】
内側溝面９１は、軸線方向Ｚから見て、外側ブリッジ面８０ｂから離れるに従って径方向Ｒ外側に向けて湾曲した内側湾曲面９１ａを有している。内側湾曲面９１ａは、第１外側磁石側面７５から離れるに従って径方向Ｒ外側に配置されるように湾曲しているとも言える。
【０１１４】
外側溝面９２は、内側溝面９１と対向しており、内側溝面９１及び第１外側スロット側壁面７１ａの双方と連続している。詳細には、外側溝面９２は、内側溝面９１と連続する第１端９２ａと、第１外側スロット側壁面７１ａと連続する第２端９２ｂとを有している。
【０１１５】
外側溝面９２は、第１端９２ａ側から第２端９２ｂ側に向かうに従って徐々に溝９０の幅Ｄｈが小さくなるように湾曲した外側湾曲面９２ｃを含む。外側湾曲面９２ｃは、例えば第２端９２ｂから第１端９２ａに向かうに従って内側溝面９１から離れるように湾曲している。これにより、溝９０は、開口付近では幅狭となっており、外側永久磁石７２から離れるに従って幅広となっている。溝９０の開口幅Ｄｈｘは、溝９０の最大幅Ｄｈｍよりも小さく設定されている。溝９０の開口幅Ｄｈｘとは、溝９０の幅方向（外側ブリッジ面８０ｂと外側磁石底面７３との対向方向）における開口９０ａの長さである。
【０１１６】
かかる構成によれば、溝９０によって、外側ブリッジ面８０ｂと第１外側スロット側壁面７１ａとのコーナ付近での局所的な応力集中が抑制される。詳細には、上記コーナ付近に斜め方向の応力が付与された場合、当該応力は内側溝面９１の内側湾曲面９１ａに付与され易い。そして、内側湾曲面９１ａは湾曲しているため、応力が分散化される。
【０１１７】
また、外側湾曲面９２ｃによって溝９０の開口幅Ｄｈｘは小さくなっているため、溝９０が形成されたことに起因する第１外側スロット側壁面７１ａと第１外側磁石側面７５との当接面積又は対向面積の減少量が低減されている。
【０１１８】
ここで、図７に示すように、溝９０は、第１外側スロット側壁面７１ａから凹んでいるため、ティース５２における溝９０に対応する部分、詳細にはティース５２のうち溝９０と第１ティース側面５４との間に存在する部分は、当該溝９０の分だけ狭くなっている。外側永久磁石７２及び内側永久磁石６２にて生じた磁束は、ティース５２を、径方向Ｒに貫く。このため、溝９０の形状（詳細には深さ）によっては、ティース５２を貫く磁束が、溝９０によって阻害され得る。
【０１１９】
これに対して、本実施形態では、溝９０は、ティース５２を貫く磁束に与える影響が抑制されるように構成されている。
詳細には、図７に示すように、第１先端湾曲面５３ａにおける周方向Ｃの長さを先端周方向長さＬｘ１とする。また、軸線方向Ｚから見て、互いに対向する第１ティース側面５４と第１内側スロット側壁面６１ａとを結ぶ直線であって第１ティース側面５４に対して直交し且つ第１先端湾曲面５３ａに接する接線の長さを先端接線長さＬｘ２とする。
【０１２０】
かかる構成において、第１ティース側面５４と溝９０との最短距離Ｌｙは、先端周方向長さＬｘ１及び先端接線長さＬｘ２のうちいずれか短い方よりも長く設定されている。上記最短距離Ｌｙとは、第１ティース側面５４と直交し且つ溝９０に到達する垂線のうち最も短いものである。詳細には、溝９０における内側溝面９１及び外側溝面９２は湾曲しているため、溝９０と第１ティース側面５４とを結ぶ第１ティース側面５４の垂線の長さは、場所に応じて変動する。この点、最短距離Ｌｙとは、上記場所に応じて変動する溝９０と第１ティース側面５４とを結ぶ上記垂線の長さの最小値である。
【０１２１】
以上詳述した本実施形態によれば、以下の作用効果を奏する。
（１）回転電機としての電動圧縮機１０は、ロータ３０と、ロータ３０に対して径方向Ｒ外側に設けられたステータコア４１、電機子巻線４２ｕ，４２ｖ，４２ｗ及び永久磁石６２，７２を有するステータ４０と、ステータコア４１が固定された状態でロータ３０及びステータ４０を収容するハウジング１１と、を備えている。ステータコア４１は、ハウジング１１の内周面１１ｃから押圧されているコア外周面５１ａを有するコア筒部５１と、コア内周面５１ｂから径方向Ｒ内側に向けて突出したティース５２とを備えている。ティース５２は、電機子巻線４２ｕ，４２ｖ，４２ｗが捲回されるものであって、周方向Ｃに複数配列されている。
【０１２２】
かかる構成において、ステータコア４１には、各ティース５２の先端面であるティース先端面５３から凹んだ内側磁石用スロット６１と、内側磁石用スロット６１に対して径方向Ｒ外側に配置され且つコア外周面５１ａから凹んだ外側磁石用スロット７１とが形成されている。ステータコア４１は、両磁石用スロット６１，７１を仕切るブリッジ８０を備えている。そして、磁石用スロット６１，７１には、永久磁石６２，７２が収容されている。
【０１２３】
かかる構成によれば、電機子巻線４２ｕ，４２ｖ，４２ｗに電流が流れることによって当該電機子巻線４２ｕ，４２ｖ，４２ｗから発生する磁束と、永久磁石６２，７２の磁束とが相互作用し、ロータ３０を回転させることができる。
【０１２４】
また、両磁石用スロット６１，７１を仕切るブリッジ８０によって、ステータコア４１が複数のパーツに分割されることなく一体化されている。これにより、ステータコア４１が複数のパーツに分割されることによって生じる不都合を抑制できる。
【０１２５】
詳述すると、例えばステータコア４１に、ティース５２及びコア筒部５１の双方を内外に貫通する磁石用スロットが形成されている場合、当該磁石用スロットによってステータコア４１が複数のパーツに分割される。すると、分割された各パーツ間で位置ずれが生じるため、分割されたパーツ間に形成される磁石用スロットの形状が安定せず、磁石用スロットへの永久磁石の収容作業は煩雑なものとなり得る。また、複数の分割パーツからなるステータコアをハウジング１１に嵌め込む作業は煩雑なものとなり易い。これに対して、本実施形態では、ブリッジ８０によってステータコア４１が一体化されているため、上記各作業の煩雑化を抑制できる。
【０１２６】
（２）ステータコア４１がハウジング１１に固定される関係上、ステータコア４１はハウジング１１から押圧される。この場合、ブリッジ８０が永久磁石６２，７２に付与される応力を受ける。これにより、永久磁石６２，７２に付与される応力が軽減される。すなわち、ブリッジ８０は、永久磁石６２，７２に付与される応力を緩和するものとして機能する。
【０１２７】
更に、外側磁石用スロット７１がコア外周面５１ａから径方向Ｒ内側に凹んでいる関係上、外側磁石用スロット７１と内側磁石用スロット６１とを仕切るブリッジ８０は、コア外周面５１ａよりも内方（径方向Ｒ内側）に配置されている。これにより、ブリッジ８０に必要な強度を確保しつつ、両磁石用スロット６１，７１が占めるスペースの拡大を図ることができる。
【０１２８】
詳述すると、ブリッジ８０は応力を受ける関係上、ブリッジ８０としては所定の強度を確保する必要がある。この場合、両磁石用スロット６１，７１間の間隔であるブリッジ厚さＤ１が大きくなるほど、ブリッジ８０の強度は大きくなる。一方、ブリッジ厚さＤ１が大きくなるほど、両磁石用スロット６１，７１が占めるスペースが小さくなり、両永久磁石６２，７２の大きさが小さくなり易い。すると、両永久磁石６２，７２から発生する磁束が小さくなり、トルクが低下するという不都合が生じ得る。かといって、ブリッジ厚さＤ１を確保しつつ、両磁石用スロット６１，７１が占めるスペースを大きくしようとすると、ステータコア４１の外径を大きくする必要が生じるため、電動圧縮機１０が大型になり易い。
【０１２９】
これに対して、本願発明者らは、ブリッジ８０がステータコア４１の最外周に設けられている場合よりも、ブリッジ８０がコア外周面５１ａよりも径方向Ｒ内側に配置されている場合の方が、ハウジング１１からの応力がブリッジ８０とコア筒部５１とによって分散化され、ブリッジ８０に付与される応力が軽減されることを見出した。なお、ブリッジ８０がステータコア４１の最外周に設けられている場合とは、ブリッジ８０がコア外周面５１ａと連続するように設けられている場合である。
【０１３０】
この知見に着目して、本実施形態では、ブリッジ８０はコア外周面５１ａよりも径方向Ｒ内側に配置されているため、ブリッジ８０が最外周に形成されている構成と比較して、ブリッジ８０に付与される応力が軽減されている。これにより、ブリッジ８０に求められる強度を低減できるため、ブリッジ厚さＤ１を小さくできる。したがって、両磁石用スロット６１，７１が占めるスペースを拡大でき、それを通じて両永久磁石６２，７２の大型化を図ることができる。よって、電動圧縮機１０（電動モータ１４）のトルクの低下を抑制しつつ、両永久磁石６２，７２に付与される応力を軽減できる。
【０１３１】
（３）特に、ブリッジ８０が設けられている構成においては、両永久磁石６２，７２にて生じる磁束の一部は、ブリッジ８０を貫く短絡磁束となる。当該短絡磁束は、電動圧縮機１０のトルクに寄与しないものであり、ブリッジ厚さＤ１が大きくなるほど大きくなり易い。この点、本実施形態によれば、上述した通りブリッジ厚さＤ１を小さくできるため、短絡磁束を低減できる。これにより、ブリッジ８０に起因するトルクの低下を抑制できる。
【０１３２】
すなわち、本実施形態では、上述したとおり、ステータコア４１を一体化するとともにステータコア４１に設けられる永久磁石（両永久磁石６２，７２）に付与される応力を軽減するためにブリッジ８０が設けられている。このため、ティース５２及びコア筒部５１の双方を内外に貫通する磁石用スロットに１つの永久磁石が嵌め込まれている場合と比較して、ブリッジ８０の分だけ永久磁石が小さくなり易く、ブリッジ８０に起因する短絡磁束が発生するため、トルクが低下し易い。これに対して、本実施形態では、両磁石用スロット６１，７１を仕切るようにブリッジ８０が設けられていることにより、ブリッジ８０がコア外周面５１ａよりも径方向Ｒ内側に配置され、ブリッジ厚さＤ１を小さくできる。よって、トルクの低下を抑制しつつ、ステータコア４１の一体化と両永久磁石６２，７２に付与される応力の軽減とを図ることができる。
【０１３３】
（４）ブリッジ８０は、コア筒部５１ではなくティース５２に設けられている。これにより、ハウジング１１から押圧されることによってステータコア４１に付与される応力は、より優先的にコア筒部５１に付与され、ブリッジ８０に付与される応力を軽減できる。よって、ブリッジ厚さＤ１を、より小さくでき、両磁石用スロット６１，７１の径方向Ｒのスペースを大きくできる。したがって、両永久磁石６２，７２を径方向Ｒに大きくできる。
【０１３４】
（５）外側磁石用スロット７１の深さＤｐ２は、内側磁石用スロット６１の深さＤｐ１よりも大きく設定されている。かかる構成によれば、外側磁石用スロット７１の深さＤｐ２が内側磁石用スロット６１の深さＤｐ１以下である構成と比較して、ブリッジ８０が径方向Ｒ内側に配置されることになる。これにより、ブリッジ８０に付与される応力を、より軽減できる。
【０１３５】
（６）各ティース５２は、電機子巻線４２ｕ，４２ｖ，４２ｗのいずれかが捲回される一対のティース側面５４，５５を有している。ステータコア４１は、一対のティース側面５４，５５の間に設けられ、内側磁石用スロット６１を区画するものであって互いに対向した一対の内側スロット側壁面６１ａ，６１ｂと、外側磁石用スロット７１を区画するものであって互いに対向した一対の外側スロット側壁面７１ａ，７１ｂと、を有している。ブリッジ８０は、内側磁石用スロット６１の底面を構成する内側ブリッジ面８０ａと、内側ブリッジ面８０ａとは反対側に設けられ、外側磁石用スロット７１の底面を構成する外側ブリッジ面８０ｂとを有している。すなわち、内側磁石用スロット６１は、内側ブリッジ面８０ａ及び一対の内側スロット側壁面６１ａ，６１ｂによって区画されており、外側磁石用スロット７１は、外側ブリッジ面８０ｂ及び一対の外側スロット側壁面７１ａ，７１ｂによって区画されている。
【０１３６】
かかる構成において、両ブリッジ面８０ａ，８０ｂの対向距離であるブリッジ厚さＤ１は、コア筒部５１の厚さＤ２よりも小さい。これにより、ブリッジ厚さＤ１がコア筒部５１の厚さＤ２と同一又はそれ以上である構成と比較して、両磁石用スロット６１，７１を大きく確保でき、両永久磁石６２，７２を大きくできる。よって、電動圧縮機１０のトルクの向上を図ることができる。
【０１３７】
（７）一対の外側スロット側壁面７１ａ，７１ｂと外側ブリッジ面８０ｂとの間には、軸線方向Ｚに延び且つ外側スロット側壁面７１ａ，７１ｂから凹んだ溝９０が形成されている。かかる構成によれば、溝９０によって、一対の外側スロット側壁面７１ａ，７１ｂと外側ブリッジ面８０ｂとのコーナ付近での局所的な応力集中を抑制できる。
【０１３８】
ここで、仮に溝が外側ブリッジ面８０ｂに対して凹んでいる場合、すなわち溝が径方向Ｒ内側に凹んでいる場合、ブリッジ８０には、局所的にブリッジ厚さＤ１が小さくなる箇所が生じる。すると、ブリッジ８０の強度が低下する。
【０１３９】
これに対して、本実施形態では、溝９０は、外側スロット側壁面７１ａ，７１ｂに対して凹んでいる。これにより、溝９０に起因してブリッジ厚さＤ１が局所的に小さくなる箇所が生じる事態を抑制できる。よって、ブリッジ８０の強度低下を抑制しつつ、局所的な応力集中を抑制できる。
【０１４０】
（８）溝９０は、外側ブリッジ面８０ｂと連続した内側溝面９１を有している。内側溝面９１は、軸線方向Ｚから見て外側ブリッジ面８０ｂから離れるに従って径方向Ｒ外側に向けて湾曲した内側湾曲面９１ａを有している。かかる構成によれば、一対の外側スロット側壁面７１ａ，７１ｂと外側ブリッジ面８０ｂとのコーナ付近に、両外側スロット側壁面７１ａ，７１ｂが互いに近づく方向の成分を含む応力が付与された場合には、内側湾曲面９１ａが上記応力を受け易い。この場合、内側湾曲面９１ａは湾曲しているため、上記応力の分散化を図ることができる。これにより、局所的な応力集中を抑制できる。
【０１４１】
（９）外側永久磁石７２は、一対の外側スロット側壁面７１ａ，７１ｂと当接又は対向する一対の外側磁石側面７５，７６を有している。溝９０は、内側溝面９１と連続する第１端９２ａ及び第１外側スロット側壁面７１ａ（又は第２外側スロット側壁面７１ｂ）と連続する第２端９２ｂを有する外側溝面９２を備えている。外側溝面９２は、第１端９２ａ側から第２端９２ｂ側に向かうに従って徐々に溝９０の幅Ｄｈが小さくなるように湾曲した外側湾曲面９２ｃを含む。かかる構成によれば、内側湾曲面９１ａの面積をある程度確保しつつ、外側スロット側壁面７１ａ，７１ｂと外側磁石側面７５，７６との当接面積又は対向面積の減少に起因するトルクの低下を抑制できる。
【０１４２】
詳述すると、例えば仮に溝９０が軸線方向Ｚから見て半円形状である場合、応力の分散化を図るために内側湾曲面９１ａの面積（詳細には軸線方向Ｚから見た内側湾曲面９１ａの弧の長さ）を大きくしようとすると、溝９０の開口幅Ｄｈｘも大きくなり、上記当接面積又は対向面積が小さくなる。すると、ティース５２を貫く磁束が小さくなり、トルクが低下する。
【０１４３】
これに対して、本実施形態では、外側湾曲面９２ｃによって、内側湾曲面９１ａの面積を大きくしつつ溝９０の開口幅Ｄｈｘを小さくできる。これにより、内側湾曲面９１ａの面積を大きくすることに伴う上記当接面積又は対向面積の低下を抑制できる。よって、応力集中の抑制と溝９０に起因するトルク低下の抑制との両立を図ることができる。
【０１４４】
（１０）ティース５２は、当該ティース５２における周方向Ｃの長さが径方向Ｒ内側に向かうに従って徐々に短くなるように形成された先細り形状である。ティース先端面５３は、内側磁石用スロット６１の両側に設けられた一対の先端湾曲面５３ａ，５３ｂで構成されている。先端湾曲面５３ａ，５３ｂは、互いに対向しているティース側面５４，５５と内側スロット側壁面６１ａ，６１ｂとの双方に連続し、周方向Ｃに延びている。
【０１４５】
かかる構成において、ティース側面５４，５５と溝９０との最短距離Ｌｙは、先端接線長さＬｘ２、及び、先端湾曲面５３ａ，５３ｂにおける周方向Ｃの長さである先端周方向長さＬｘ１のうちいずれか短い方よりも長く設定されている。先端接線長さＬｘ２とは、互いに対向するティース側面５４，５５と内側スロット側壁面６１ａ，６１ｂとを結ぶ直線であってティース側面５４，５５に直交し且つ先端湾曲面５３ａ，５３ｂに接する接線の長さである。かかる構成によれば、ティース５２内において、磁束が貫く面積が最小となる箇所は、ティース５２の先端部分となる。これにより、ティース５２内を貫く磁束は、溝９０に対応する部分ではなく、ティース５２の先端部分によって律速される。よって、溝９０に起因して磁束が低下する事態を抑制でき、それを通じて溝９０に起因したトルクの低下を抑制できる。
【０１４６】
（１１）内側永久磁石６２は、ロータ３０と対向する内側対向面６４を有している。内側対向面６４は、軸線方向Ｚから見て直線状であり、ティース先端面５３よりも径方向Ｒ外側に配置されている。かかる構成によれば、内側対向面６４が湾曲している構成と比較して、内側永久磁石６２を容易に製造できる。また、内側対向面６４がティース先端面５３よりも突出することに起因して、内側永久磁石６２がロータ３０に衝突することを抑制できる。
【０１４７】
（１２）内側対向面６４は、ティース先端面５３と同一周面上にある仮想ロータ外周面Ｓｘ１と接している。かかる構成によれば、内側永久磁石６２とロータ３０との衝突を回避しつつ、内側永久磁石６２の体積の向上を図ることができる。
【０１４８】
（１３）外側永久磁石７２は、ハウジング１１の内周面１１ｃと対向する外側対向面７４を有している。外側対向面７４は、軸線方向Ｚから見て直線状である。そして、外側対向面７４は、外側磁石用スロット７１の開口端７１ｃと同一平面上又はそれよりも径方向Ｒ内側に配置されている。かかる構成によれば、外側永久磁石７２がハウジング１１の内周面１１ｃに優先的に接触することを抑制できるため、外側永久磁石７２に対して直接的に応力が付与されることを抑制できる。これにより、外側永久磁石７２に過度な応力が付与されることを抑制できる。また、外側対向面７４が湾曲している構成と比較して、外側永久磁石７２を容易に製造できる。
【０１４９】
（１４）ブリッジ８０は、軸線方向Ｚから見て、径方向Ｒと交差する方向（詳細には径方向Ｒと直交する方向）に延びた直線状である。かかる構成によれば、ブリッジ８０が曲線状である構成と比較して、ブリッジ８０の加工が容易であるため、ブリッジ８０を比較的容易に形成することができる。また、ブリッジ８０と両永久磁石６２，７２との間にデッドスペースが生じにくいため、当該デッドスペースに起因した電動圧縮機１０のトルク低下を抑制できる。
【０１５０】
（１５）内側磁石用スロット幅Ｌａ１は、外側磁石用スロット幅Ｌａ２よりも大きく設定されている。これに対応させて、内側永久磁石幅Ｌｂ１は、外側永久磁石幅Ｌｂ２よりも大きく設定されている。これにより、内側永久磁石６２の保磁力を高めることができるため、内側永久磁石６２にて生じ易い消磁現象を抑制できる。
【０１５１】
詳述すると、複数相の電機子巻線４２ｕ，４２ｖ，４２ｗに電流が流れている電動モータ１４の駆動中においては、内側永久磁石６２及び外側永久磁石７２に対して逆磁界が付与される。当該逆磁界は、ロータ３０との距離が相対的に大きい外側永久磁石７２よりもロータ３０との距離が相対的に小さい内側永久磁石６２の方が大きくなり易い。このため、内側永久磁石６２においては減磁量が大きくなり易い。
【０１５２】
これに対して、本実施形態では、内側永久磁石６２における磁化方向の長さである内側永久磁石幅Ｌｂ１を、外側永久磁石７２における磁化方向の長さである外側永久磁石幅Ｌｂ２よりも大きくすることにより、内側永久磁石６２の保磁力が高められている。これにより、内側永久磁石６２における減磁量を低減できる。したがって、逆磁界に起因するトルクの低下を抑制できる。
【０１５３】
また、付与される逆磁界が小さくなり易い外側永久磁石幅Ｌｂ２を小さくすることにより、外側永久磁石７２の小型化を図ることができ、それを通じてコストの削減を図ることができる。
【０１５４】
（第２実施形態）
図８に示すように、本実施形態の両磁石用スロット幅Ｌａ１，Ｌａ２は同一に設定されており、それに対応させて、両永久磁石幅Ｌｂ１，Ｌｂ２も同一に設定されている。
【０１５５】
本実施形態では、両永久磁石１０１，１０２の材料が異なっている。詳細には、内側永久磁石１０１は、外側永久磁石１０２よりも保磁力が強い材料で構成されている。なお、両永久磁石１０１，１０２の具体的な材料は、保磁力が異なっていれば任意であるが、例えば外側永久磁石１０２がアルニコ磁石で構成されており、内側永久磁石１０１がネオジウム磁石で構成されている場合が考えられる。また、両永久磁石１０１，１０２がネオジウム磁石で構成されている場合には、両永久磁石１０１，１０２の組成比が異なっていてもよい。
【０１５６】
また、本実施形態の内側対向面１０３は、径方向Ｒ外側に向けて凸となるように湾曲しており、ティース先端面５３と同一周面上に配置されている。本実施形態の外側対向面１０４は、径方向Ｒ外側に向けて凸となるように湾曲しており、コア外周面５１ａと同一周面上に配置されている。外側対向面１０４は、ハウジング１１の内周面１１ｃと当接している。
【０１５７】
図８に示すように、本実施形態のブリッジ１０５は、軸線方向Ｚから見て、直線状ではなく曲線状となっている。詳細には、ブリッジ１０５は、径方向Ｒ外側に向けて凸となるように湾曲している。
【０１５８】
これに対応させて、内側永久磁石１０１における内側対向面１０３とは反対側の内側磁石底面１０６、及び、外側永久磁石１０２における外側対向面１０４とは反対側の外側磁石底面１０７は、径方向Ｒ外側に向けて凸となるように湾曲している。なお、本実施形態では、溝９０は省略されている。
【０１５９】
以上詳述した本実施形態によれば、（１）〜（６）の効果に加えて、以下の作用効果を奏する。
（１６）ブリッジ１０５は、軸線方向Ｚから見て、直線状ではなく曲線状となっている。かかる構成によれば、ブリッジが直線状となっている構成と比較して、ブリッジ１０５に付与される応力が分散し易い。これにより、ブリッジ１０５がより好適に応力を受けることができる。
【０１６０】
特に、ブリッジ１０５には、当該ブリッジ１０５の厚さ方向に対して交差する方向である斜め方向の外力が付与され得る。この場合、ブリッジ１０５が曲線状となっていることによって、ブリッジ１０５の受圧面を上記斜め方向の応力に対して垂直に近づけることができる。これにより、上記斜め方向の応力を好適に受けることができる。
【０１６１】
（１７）内側永久磁石１０１は、外側永久磁石１０２よりも保磁力が強い材料で構成されている。かかる構成によれば、両永久磁石幅Ｌｂ１，Ｌｂ２が同一に設定されている場合であっても、（１５）と同様の効果を得ることができる。
【０１６２】
（第３実施形態）
本実施形態では、電動圧縮機１０は、外側ブリッジ面８０ｂと、外側永久磁石１１０における外側ブリッジ面８０ｂと対向配置された外側磁石底面１１１とが少なくとも一部において離間するように、外側永久磁石１１０を支持する支持部を備えている点が第１実施形態と異なっている。当該支持部について詳細に説明する。
【０１６３】
図９に示すように、電動圧縮機１０は、支持部として、外側磁石用スロット７１における一対の外側スロット側壁面７１ａ，７１ｂの少なくとも一方に設けられた突起１１２を備えている。本実施形態では、突起１１２は、一対の外側スロット側壁面７１ａ，７１ｂの双方に設けられて一対となっている。一対の突起１１２は、一対の外側スロット側壁面７１ａ，７１ｂに対して互いに近づく方向に向けて突出しており、両外側スロット側壁面７１ａ，７１ｂの対向方向と同一方向に対向配置されている。但し、一対の突起１１２は、接触しておらず、両者の間には隙間が形成されている。
【０１６４】
一対の突起１１２は、両外側スロット側壁面７１ａ，７１ｂにおける溝９０（換言すればブリッジ８０）寄りの端部に形成されている。本実施形態では、両外側スロット側壁面７１ａ，７１ｂとブリッジ８０との間のコーナ付近に、溝９０と突起１１２とが隣接して設けられていると言える。
【０１６５】
外側磁石用スロット７１は、突起１１２よりも径方向Ｒ外側に配置された第１室１１３と、突起１１２よりも径方向Ｒ内側に配置された第２室１１４とに区画されている。
本実施形態の外側永久磁石１１０は、第１室１１３に収容されている。外側永久磁石１１０は、外側磁石底面１１１と突起１１２との当接によって、外側ブリッジ面８０ｂに対して離間した位置にて支持されている。この場合、ブリッジ８０側への外側永久磁石１１０の移動は、突起１１２によって規制されている。
【０１６６】
図９に示すように、第２室１１４は、第１室１１３とブリッジ８０との間であって一対の溝９０の間に存在する空間である。第２室１１４は、溝９０の開口９０ａと対向している。第２室１１４には外側永久磁石１１０は存在していない。第２室１１４は、外側磁石底面１１１と外側ブリッジ面８０ｂとが離間することによって形成された外側永久磁石１１０が存在していない領域とも言える。
【０１６７】
本実施形態では、外側磁石底面１１１と外側ブリッジ面８０ｂとは、その全体が溝９０の開口幅Ｄｈｘよりも大きい距離だけ離間している。すなわち、本実施形態の突起１１２は、外側永久磁石１１０を、外側磁石底面１１１が外側ブリッジ面８０ｂに対して溝９０の開口幅Ｄｈｘよりも大きい距離だけ離間している位置にて支持している。
【０１６８】
これに対応させて、本実施形態の外側永久磁石１１０の高さは、第１実施形態の外側永久磁石７２の高さＨ２よりも小さい。このため、本実施形態の外側永久磁石１１０は、第１実施形態の外側永久磁石７２よりも小型になっている。
【０１６９】
なお、本実施形態における外側永久磁石１１０の取付方法は任意であるが、例えば外側永久磁石１１０を外側磁石用スロット７１に対して、径方向Ｒ外側から挿入してもよいし、軸線方向Ｚから挿入してもよい。
【０１７０】
また、本実施形態では、外側磁石底面１１１と外側ブリッジ面８０ｂとの対向方向における突起１１２の長さである突起厚さＤ１１は、ブリッジ厚さＤ１よりも小さい。但し、これに限られず、突起厚さＤ１１は、ブリッジ厚さＤ１と同一であってもよいし、ブリッジ厚さＤ１よりも大きくてもよい。
【０１７１】
以上詳述した本実施形態によれば、（１）〜（１５）の効果に加えて以下の作用効果を奏する。
（１８）電動圧縮機１０は、外側ブリッジ面８０ｂと外側磁石底面１１１とが離間するように外側永久磁石１１０を支持する支持部としての突起１１２を備えている。これにより、トルクの低下を抑制しつつ、外側永久磁石１１０の小型化を図ることができる。
【０１７２】
詳述すると、外側ブリッジ面８０ｂと外側磁石底面１１１とが離間しているため、両者の間に外側永久磁石１１０が存在しない領域である第２室１１４が形成される。これにより、第２室１１４分だけ外側永久磁石１１０を小さくでき、使用する外側永久磁石１１０の量を削減することができる。したがって、電動モータ１４において特にコストが高い永久磁石の削減を図ることを通じて、コスト削減を図ることができる。
【０１７３】
ここで、第２室１１４の少なくとも一部は、一対の外側スロット側壁面７１ａ，７１ｂと外側ブリッジ面８０ｂとの間に形成されている溝９０の開口９０ａと対向する。第２室１１４における溝９０の開口９０ａと対向する部分は、外側永久磁石１１０の有無に関わらず、電動圧縮機１０のトルクに寄与しない。すなわち、第２室１１４は、トルクに寄与しない部分を含んでいる。したがって、外側ブリッジ面８０ｂと外側磁石底面１１１とが離間した場合であっても、トルクは低下しにくい。
【０１７４】
また、外側永久磁石１１０は、突起１１２によって支持されているため、電動圧縮機１０に振動等が付与された場合であっても、外側磁石底面１１１が外側ブリッジ面８０ｂに近づくように外側永久磁石１１０が移動することが規制されている。これにより、外側永久磁石１１０の位置ずれに起因するトルクの低下を抑制できる。
【０１７５】
（１９）突起１１２は、外側永久磁石１１０を、外側磁石底面１１１が外側ブリッジ面８０ｂに対して溝９０の開口幅Ｄｈｘ以上に離間した位置にて支持する。かかる構成によれば、外側永久磁石１１０の一部が溝９０の開口９０ａと対向する構成と比較して、外側永久磁石１１０の小型化を図ることができるため、外側永久磁石１１０の使用量の更なる削減を図ることができる。
【０１７６】
（２０）突起１１２は、一対の外側スロット側壁面７１ａ，７１ｂに設けられている。外側永久磁石１１０は、外側磁石底面１１１が突起１１２と当接することによって支持されている。かかる構成によれば、突起１１２が外側永久磁石１１０から付与される押圧力を受ける。これにより、外側永久磁石１１０から付与される押圧力がブリッジ８０に加わることに起因してブリッジ８０に過度な応力が付与されることを抑制できる。
【０１７７】
詳述すると、振動等に起因して外側永久磁石１１０が径方向Ｒ内側に向けて押圧される場合がある。この場合、仮に外側永久磁石１１０がブリッジ８０から突出した突出部又はブリッジ８０と接触している支持部材によって支持されていると、これら突出部や支持部材を介して、外側永久磁石１１０からブリッジ８０に応力が付与され得る。
【０１７８】
これに対して、本実施形態では、ブリッジ８０ではなく一対の外側スロット側壁面７１ａ，７１ｂから突出した突起１１２によって、外側永久磁石１１０が支持されている。これにより、外側永久磁石１１０から付与される押圧力がブリッジ８０に伝達されにくいため、ブリッジ８０に過度な応力が付与されることを抑制できる。
【０１７９】
なお、念のために説明すると、ハウジング１１から付与される応力は、溝９０における径方向Ｒ内側部分（詳細には内側溝面９１）に対して優先的に付与される。このため、ステータコア４１からの応力によって突起１１２が折れるといった事態は生じにくい。
【０１８０】
（第４実施形態）
図１０に示すように、本実施形態では、外側磁石用スロット１２０の構造が異なっている。その異なる点について以下に詳細に説明する。
【０１８１】
図１０に示すように、本実施形態の外側磁石用スロット１２０は、その一部が幅広に形成されている。詳細には、本実施形態の外側磁石用スロット１２０は、互いに対向している一対の外側スロット側壁面１２１，１３１を有している。一対の外側スロット側壁面１２１，１３１は、互いに対向している一対の第１側壁面１２２，１３２と、互いに対向している一対の第２側壁面１２３，１３３とを有している。本実施形態では、第２側壁面１２３，１３３は、第１側壁面１２２，１３２に対して径方向Ｒ外側に配置されており、外側磁石用スロット１２０の最外周に配置されている。
【０１８２】
一対の第２側壁面１２３，１３３は、一対の第１側壁面１２２，１３２よりも互いに離れる方向に離間して配置されている。このため、一対の第２側壁面１２３，１３３の対向距離である第２外側磁石用スロット幅Ｌａ２２は、一対の第１側壁面１２２，１３２の対向距離である第１外側磁石用スロット幅Ｌａ２１よりも大きくなっている。そして、第１側壁面１２２，１３２と第２側壁面１２３，１３３との間には段差面１２４，１３４が形成されている。段差面１２４，１３４は、径方向Ｒに対して交差している。
【０１８３】
電動圧縮機１０は、ブリッジ８０よりも径方向Ｒ外側に設けられ、両外側スロット側壁面１２１，１３１から押圧されている受圧部材１４０を備えている。受圧部材１４０は、ステータコア４１よりも強度（詳細には圧縮強度）が高い非磁性体で構成されており、例えばステンレスで構成されている。
【０１８４】
受圧部材１４０は、例えば平板状である。受圧部材１４０は、段差面１２４，１３４に対して径方向Ｒに当接又は対向している状態で、両第２側壁面１２３，１３３の間に嵌っている。この場合、受圧部材１４０は、両第２側壁面１２３，１３３と密着している。換言すれば、受圧部材１４０は、第２側壁面１２３，１３３と段差面１２４，１３４とハウジング１１の内周面１１ｃとによって区画された領域に嵌め込まれていると言える。受圧部材１４０は、両第２側壁面１２３，１３３によって挟持されており、当該両第２側壁面１２３，１３３から押圧されている。
【０１８５】
ちなみに、本実施形態では、一対の第２側壁面１２３，１３３が外側磁石用スロット１２０の最外周に配置されている関係上、受圧部材１４０は、外側磁石用スロット１２０の最外周の位置に配置されている。そして、本実施形態の外側永久磁石１４１は、外側磁石用スロット１２０内であって受圧部材１４０とブリッジ８０との間に収容されている。
【０１８６】
なお、図１０に示すように、本実施形態では、受圧部材１４０の厚さＤ１２は、ブリッジ厚さＤ１よりも大きい。但し、これに限られず、受圧部材１４０の厚さＤ１２は、ブリッジ厚さＤ１と同一であってもよいし、ブリッジ厚さＤ１よりも小さくてもよい。
【０１８７】
また、受圧部材１４０の厚さＤ１２とブリッジ厚さＤ１とを合わせた寸法は、コア筒部５１の厚さＤ２よりも小さい。このため、ブリッジ８０及び外側磁石用スロット１２０に代えて、コア筒部５１が全周に亘って形成されている構成と比較して、永久磁石が占めるスペース、詳細には両永久磁石６２，１４１の双方を合わせたスペースは大きくなっている。
【０１８８】
以上詳述した本実施形態によれば、（１）〜（１５）の効果に加えて、以下の作用効果を奏する。
（２１）電動圧縮機１０は、ブリッジ８０よりも径方向Ｒ外側に設けられ、ステータコア４１よりも強度が高い非磁性体で構成されているものであって一対の外側スロット側壁面１２１，１３１から押圧されている受圧部材１４０を備えている。かかる構成によれば、ハウジング１１から付与される応力は、両永久磁石６２，１４１よりも、ブリッジ８０及び受圧部材１４０に優先的に付与される。これにより、両永久磁石６２，１４１に付与される応力の軽減を図ることができる。
【０１８９】
また、応力は、ブリッジ８０と受圧部材１４０とによって分散されて付与されるため、ブリッジ８０のみの場合と比較して、ブリッジ８０に付与される応力を軽減できる。特に、受圧部材１４０は、ブリッジ８０に対して径方向Ｒ外側に配置されているため、ブリッジ８０よりも受圧部材１４０の方に対して優先的に応力が付与される。そして、受圧部材１４０は、ステータコア４１よりも強度が高い材料で構成されているため、破断しにくい。これにより、ブリッジ８０に付与される応力の軽減を図りつつ、両永久磁石６２，１４１に付与される応力の軽減を図ることができる。したがって、溝９０の形状を小さくしたり、ブリッジ８０の位置を径方向Ｒ外側に配置したり、ブリッジ厚さＤ１を小さくしたりすることができ、設計の自由度の向上を図ることができる。
【０１９０】
また、受圧部材１４０は、非磁性体で構成されているため、受圧部材１４０が磁路を構成することはない。これにより、受圧部材１４０を介した短絡磁路が形成されることを抑制できるため、受圧部材１４０を貫く短絡磁束を抑制でき、それを通じて短絡磁路に起因するトルクの低下を抑制できる。
【０１９１】
（２２）受圧部材１４０は、外側磁石用スロット１２０の最外周に配置されており、外側永久磁石１４１は、ブリッジ８０と受圧部材１４０との間に配置されている。仮に受圧部材１４０が外側磁石用スロット１２０の途中位置に設けられている場合、外側磁石用スロット１２０が受圧部材１４０によって２つの収容室に区分けされる。この場合、外側永久磁石１４１も２つに分割する必要が生じ、構成の複雑化という不都合が懸念される。これに対して、本実施形態では、受圧部材１４０が外側磁石用スロット１２０の最外周に配置されているため、外側永久磁石１４１は、ブリッジ８０と受圧部材１４０との間にのみ配置されていればよく、２つに分割する必要がない。これにより、上記不都合を抑制できる。
【０１９２】
ここで、外側磁石用スロット１２０に受圧部材１４０が設けられると、これに対応させて外側永久磁石１４１が小さくなり、トルクの低下が懸念される。この点、外側磁石用スロット１２０の最外周は、それよりも内周側と比較して、トルクに寄与しにくい。このため、当該外側磁石用スロット１２０の最外周に、外側永久磁石１４１ではなく受圧部材１４０が配置されたとしても、トルクの低下量は小さくて済む。したがって、受圧部材１４０を設けたことに起因する不都合であるトルクの低下を抑制できる。
【０１９３】
（２３）外側スロット側壁面１２１，１３１は、互いに対向している第１側壁面１２２，１３２と、同じく互いに対向している第２側壁面１２３，１３３とを有している。第２側壁面１２３，１３３は、第１側壁面１２２，１３２よりも互いに離れる方向に離間して配置されている。これにより、第１側壁面１２２，１３２と第２側壁面１２３，１３３との間に段差面１２４，１３４が形成されている。受圧部材１４０は、段差面１２４，１３４に対して当接又は対向した状態で、両第２側壁面１２３，１３３の間に嵌っている。かかる構成によれば、受圧部材１４０の径方向Ｒの移動が段差面１２４，１３４によって規制される。これにより、受圧部材１４０の位置ずれを抑制できる。
【０１９４】
また、振動等によって受圧部材１４０が径方向Ｒ内側に向けて押圧された場合には、段差面１２４，１３４が受圧部材１４０からの押圧力を受けるため、外側永久磁石１４１に上記押圧力が付与されることを抑制できる。
【０１９５】
なお、上記各実施形態は以下のように変更してもよい。
○  図１１〜図１３に示すように、溝９０の形状を変更してもよい。詳細には、図１１に示すように、溝２１１は、軸線方向Ｚから見て長方形状でもよいし、図１２に示すように、溝２１２は、軸線方向Ｚから見て楕円形状でもよいし、図１３に示すように、溝２１３は、軸線方向Ｚから見て円形状でもよい。但し、応力集中の緩和の観点に着目すれば、溝は、第１実施形態及び図１２及び図１３に示すように、湾曲している方が好ましい。更に、溝に起因する第１外側磁石側面７５と第１外側スロット側壁面７１ａとの当接面積又は対向面積の低減を抑制できる点に着目すれば、第１実施形態のような溝９０が好ましい。なお、第１実施形態において、溝９０を省略してもよい。
【０１９６】
○  最短距離Ｌｙは、先端周方向長さＬｘ１及び先端接線長さＬｘ２のうちいずれか短い方と同一又はそれよりも短く設定されていてもよい。この場合、内側溝面９１の内側湾曲面９１ａを広く確保できるため、より好適に応力の分散化を図ることができる。
【０１９７】
○  図１４に示すように、内側対向面２２１は、仮想ステータ内周面Ｓｘ２と接する位置よりも径方向Ｒ外側にあってもよい。
○  同様に、図１５に示すように、外側対向面２２２は、外側磁石用スロット７１の開口端７１ｃ（換言すればコア外周面５１ａ）から径方向Ｒ内側に凹んだ位置にあってもよい。
【０１９８】
○  ブリッジ８０，１０５は、ティース５２ではなく、コア筒部５１に形成されていてもよい。換言すれば、外側磁石用スロット７１の深さＤｐ２は、コア筒部５１の厚さＤ２よりも小さくてもよい。
【０１９９】
○  第２実施形態において、ブリッジ１０５は、径方向Ｒ内側に凸となるように湾曲していてもよい。
○  内側磁石用スロット幅Ｌａ１が径方向Ｒに応じて変動してもよい。同様に、外側磁石用スロット幅Ｌａ２が径方向Ｒに応じて変動してもよい。この場合、内側永久磁石幅Ｌｂ１、及び、外側永久磁石幅Ｌｂ２は、径方向Ｒに応じて変動してもよい。かかる構成においては、内側磁石用スロット幅Ｌａ１の最小値が外側磁石用スロット幅Ｌａ２の最小値よりも大きく、内側永久磁石幅Ｌｂ１の最小値が外側永久磁石幅Ｌｂ２の最小値よりも大きければよい。
【０２００】
○  内側磁石用スロット６１の深さ方向、及び、外側磁石用スロット７１の深さ方向は、径方向Ｒと一致していたが、これに限られず、径方向Ｒに対して交差してもよい。また、内側磁石用スロット６１の深さ方向と、外側磁石用スロット７１の深さ方向とが異なっていてもよい。例えば、内側磁石用スロット６１と外側磁石用スロット７１とが軸線方向Ｚから見て「く」の字状になっていてもよい。
【０２０１】
○  両磁石用スロット幅Ｌａ１，Ｌａ２が同一である構成において、外側永久磁石幅Ｌｂ２を内側永久磁石幅Ｌｂ１よりも小さくしてもよい。この場合であっても、内側永久磁石幅Ｌｂ１が外側永久磁石幅Ｌｂ２よりも大きくなる。かかる構成においては、外側永久磁石７２と一対の外側スロット側壁面７１ａ，７１ｂとの間に形成される隙間を埋めるスペーサを別途設けるとよい。
【０２０２】
○  図１６に示すように、電動圧縮機１０は、支持部として、突起１１２に代えて、外側ブリッジ面８０ｂから外側磁石底面２３０ａに向けて突出した突出部２３１を有していてもよい。突出部２３１は、外側ブリッジ面８０ｂから径方向Ｒ外側に向けて突出している。突出部２３１の先端面は、外側磁石底面２３０ａに当接している。外側永久磁石２３０は、突出部２３１によって支持されている。外側永久磁石２３０の高さは、第３実施形態の外側永久磁石１１０の高さよりも突起厚さＤ１１だけ大きく、第１実施形態の外側永久磁石７２の高さＨ２よりも開口幅Ｄｈｘだけ小さい。
【０２０３】
なお、突出部２３１は、外側ブリッジ面８０ｂの一部、詳細には軸線方向Ｚから見て外側ブリッジ面８０ｂの中央部に設けられており、中央部よりも溝９０に近い両端部側には存在しない。このため、外側ブリッジ面８０ｂにおける突出部２３１が設けられている部分以外は、外側磁石底面２３０ａに対して、突出部２３１の突出寸法だけ離間している。そして、突出寸法は、溝９０の開口幅Ｄｈｘに設定されている。この場合であっても、（１８）及び（１９）の効果を奏する。特に、本別例によれば、突起１１２に対応する部分に磁石を配置できる。詳細には、溝９０の形状が同一である場合には、第３実施形態の外側永久磁石１１０よりも突起厚さＤ１１分だけ大きい外側永久磁石２３０を用いることができる。これにより、支持部としての突起１１２を設けることに起因するトルクの低下を抑制できる。但し、ブリッジ８０の構造が複雑化する点や、ブリッジ８０が外側永久磁石２３０から押圧され得る点等を考慮すれば、突起１１２の方が好ましい。なお、突出部２３１の突出寸法は、溝９０の開口幅Ｄｈｘよりも大きくてもよい。
【０２０４】
○  図１７に示すように、電動圧縮機１０は、支持部として、突起１１２に代えて、外側ブリッジ面８０ｂと外側磁石底面２３０ａとの間に介在する非磁性部材２３２を備えていてもよい。非磁性部材２３２は、例えばステータコア４１よりも強度（圧縮強度）が高い非磁性体で構成されており、例えばステンレスで構成されている。非磁性部材２３２は、溝９０の開口幅Ｄｈｘの厚さを有する板状である。非磁性部材２３２は、外側ブリッジ面８０ｂに対して載置されており、外側永久磁石２３０は、その非磁性部材２３２に支持されている。この場合、非磁性部材２３２の一方の板面は、外側磁石底面２３０ａに当接しており、非磁性部材２３２の他方の板面は、外側ブリッジ面８０ｂに当接している。つまり、非磁性部材２３２は、外側永久磁石２３０とブリッジ８０とによって挟持されている。この場合であっても（１８）及び（１９）の効果を奏する。特に本別例によれば、一対の外側スロット側壁面７１ａ，７１ｂの突起１１２やブリッジ８０の突出部２３１を設ける必要がないため、支持部に起因するステータコア４１の構成の複雑化を抑制できる。また、支持部として非磁性部材２３２が採用されているため、非磁性部材２３２を介した短絡磁路が生じにくい。これにより、支持部に起因するトルクの低下を抑制できる。なお、非磁性部材２３２の厚さは、溝９０の開口幅Ｄｈｘよりも大きくてもよい。
【０２０５】
○  第３実施形態においては、外側磁石底面１１１と外側ブリッジ面８０ｂとが全体において離間していたが、これに限られず、一部において離間している構成でもよい。例えば、外側磁石底面１１１の中央部に外側ブリッジ面８０ｂに向けて突出した突出部が設けられており、当該突出部の先端が外側ブリッジ面８０ｂと接触していてもよい。この場合であっても、外側磁石底面１１１における突出部以外の領域と外側ブリッジ面８０ｂとが離間している。要は、外側磁石底面１１１と外側ブリッジ面８０ｂとは少なくとも一部において離間していればよい。
【０２０６】
○  第３実施形態において、外側磁石底面１１１と外側ブリッジ面８０ｂとの離間距離は、溝９０の開口幅Ｄｈｘよりも小さくてもよい。
○  第４実施形態において、受圧部材１４０は、外側磁石用スロット１２０の最外周以外、例えば上記最外周よりも径方向Ｒ内側に設けられていてもよい。この場合、外側永久磁石１４１は、２つに分割された状態で外側磁石用スロット１２０に収容されるとよい。
【０２０７】
○  第４実施形態において、第２側壁面１２３，１３３は、第１側壁面１２２，１３２よりも互いに近づく位置に配置されていてもよい。この場合、受圧部材１４０の幅が、外側永久磁石幅Ｌｂ２よりも小さくなる。なお、本別例においては、受圧部材１４０は、軸線方向Ｚから外側磁石用スロット１２０に挿入されるとよい。
【０２０８】
○  第４実施形態において、段差面１２４，１３４は必須ではない。例えば、第１実施形態の外側磁石用スロット７１に受圧部材１４０が嵌め込まれる構成でもよい。
○  各実施形態では、回転電機は、圧縮部１２及び電動モータ１４が一体化された電動圧縮機１０であったが、これに限られない。回転電機は、圧縮部１２に代えて、他の駆動部を有する構成であってもよい。また、回転電機は、回転軸１３や圧縮部１２等の駆動部を備えていなくてもよい。要は、回転電機は、ロータ３０及びステータ４０を有する電動モータ１４と当該電動モータ１４を収容するハウジング１１とを備えていればよい。
【０２０９】
○  各実施形態及び各別例を適宜組み合わせてもよい。例えば、第２実施形態において、溝９０を設けてもよいし、第１実施形態の第１内側対向面６４を、第２実施形態の第２内側対向面１０３に置換してもよい。
【０２１０】
また、第１実施形態のように両永久磁石幅Ｌｂ１，Ｌｂ２が異なっている構成に加えて、内側永久磁石６２が、外側永久磁石７２よりも保磁力が強い材料で構成されてもよい。これにより、内側永久磁石６２の保磁力の更なる向上を図ることができる。
【符号の説明】
【０２１１】
１０…電動圧縮機（回転電機）、１１…ハウジング、１１ｃ…ハウジングの内周面、１３…回転軸、１４…電動モータ、３０…ロータ、４０…ステータ、４１…ステータコア、４２ｕ，４２ｖ，４２ｗ…電機子巻線、５１…コア筒部、５１ａ…コア外周面、５１ｂ…コア内周面、５２…ティース、５３…ティース先端面、５３ａ，５３ｂ…先端湾曲面、５４，５５…ティース側面、５６…巻線用スロット、６１…内側磁石用スロット、６１ａ，６１ｂ…内側スロット側壁面、６２，１０１…内側永久磁石、６４，１０３，２２１…内側対向面、７１，１２０…外側磁石用スロット、７１ａ，７１ｂ，１２１，１３１…外側スロット側壁面、７１ｃ…外側磁石用スロットの開口端、７２，１０２，１１０，１４１，２３０…外側永久磁石、７３，１０７，１１１，２３０ａ…外側磁石底面、７４，１０４，２２２…外側対向面、８０，１０５…ブリッジ、８０ａ…内側ブリッジ面、８０ｂ…外側ブリッジ面、９０，２１１〜２１３…溝、９０ａ…溝の開口、９１…内側溝面、９１ａ…内側湾曲面、９２…外側溝面、９２ａ…外側溝面の第１端、９２ｂ…外側溝面の第２端、９２ｃ…外側湾曲面、１１２…突起、１２２，１３２…第１側壁面、１２３，１３３…第２側壁面、１２４，１３４…段差面、１４０…受圧部材、２３１…突出部、２３２…非磁性部材、Ｄ１…ブリッジ厚さ、Ｄ２…コア筒部の厚さ、Ｄｐ１…内側磁石用スロットの深さ、Ｄｐ２…外側磁石用スロットの深さ、Ｄｈ…溝の幅、Ｄｈｘ…開口幅、Ｌａ１…内側磁石用スロット幅、Ｌａ２…外側磁石用スロット幅、Ｌｂ１…内側永久磁石幅、Ｌｂ２…外側永久磁石幅、Ｌｙ…ティース側面と溝との最短距離、Ｌｘ１…先端周方向長さ、Ｌｘ２…先端接線長さ。
【図１】
2018074890.tif 000003
【図２】
2018074890.tif 000004
【図３】
2018074890.tif 000005
【図４】
2018074890.tif 000006
【図５】
2018074890.tif 000007
【図６】
2018074890.tif 000008
【図７】
2018074890.tif 000009
【図８】
2018074890.tif 000010
【図９】
2018074890.tif 000011
【図１０】
2018074890.tif 000012
【図１１】
2018074890.tif 000013
【図１２】
2018074890.tif 000014
【図１３】
2018074890.tif 000015
【図１４】
2018074890.tif 000016
【図１５】
2018074890.tif 000017
【図１６】
2018074890.tif 000018
【図１７】
2018074890.tif 000019